(57)【要約】      （修正有）【課題】記録媒体へのインクの定着が不十分な悪い場合でも、記録媒体上の記録画像が排紙ローラに擦れ、記録画像と排紙ローラがインクによって汚れるのを防止することができる記録装置を提供する。【解決手段】記録ヘッドからインクを吐出して記録媒体の記録面に記録する画像領域Ｗ１を完成させる記録動作において、主走査方向の全画像領域の中で最も記録幅が短い幅をＸ１とし、副走査方向の画像領域の中で、排出側に最も近いインク吐出口からローラまでの幅から、インク吐出口の幅を差し引いた幅をＹ１とし、幅Ｘ１及び幅Ｙ１で囲まれる画像領域Ｗ２を完成させるのに要する時間Ｔ１とした場合、画像領域Ｗ１が完成した時点から、時間Ｔ１以上の時間を経過後に、画像領域Ｗ１がローラと接触するように、記録媒体の副走査を制御する。【選択図】図１０
2006103057.tif 000002
【特許請求の範囲】
【請求項１】
記録ヘッドを主走査方向に主走査しながら、記録媒体を前記主走査方向とは異なる副走査方向に相対的に副走査させながら記録を行う記録装置であって、
前記副走査方向に並ぶ複数のインク吐出口を備える前記記録ヘッドと、
当該記録装置の供給口から供給された前記記録媒体を排出口から外部に排出する排出側と前記記録ヘッド間に配置される、前記記録媒体の記録面に接しながら該記録媒体を搬送するためのローラと、
前記記録ヘッドの主走査と前記記録媒体の副走査を制御する制御手段とを備え、
前記記録ヘッドからインクを吐出して前記記録媒体の記録面に記録する画像領域Ｗ１を完成させる記録動作において、
前記主走査方向が前記記録媒体の記録面に記録する全画像領域の中で最も主走査方向の記録幅が短い画像領域の主走査方向の幅Ｘ１とし、
前記副走査方向が前記画像領域Ｗ１の記録に使用するインク吐出口の内、前記排出側に最も近いインク吐出口から前記ローラまでの幅から、前記インク吐出口の幅を差し引いた幅Ｙ１とし、
前記幅Ｘ１及び前記幅Ｙ１で囲まれる画像領域Ｗ２を完成させるのに要する時間Ｔ１とした場合、
前記制御手段は、前記画像領域Ｗ１が完成した時点から、前記時間Ｔ１以上の時間を経過後に、前記画像領域Ｗ１が前記ローラと接触するように、前記記録媒体の副走査を制御するとともに、
前記画像領域Ｗ１よりも前記記録媒体の供給側の領域に記録対象の記録データがない場合は、前記画像領域Ｗ１の完成から（１／３）×Ｔ１以上の時間を経過するまで、前記記録ヘッドの主走査と前記記録媒体の副走査の少なくともどちらか一方の動作を繰り返し実行するように制御する
ことを特徴とする記録装置。
【請求項２】
前記記録データがない場合とは、同一の前記記録媒体に記録される画像データが全て記録し終えた状態である
ことを特徴とする請求項１に記載の記録装置。
【請求項３】
前記記録データがない場合とは、同一の前記記録媒体に記録される画像データが全て記録し終える前に、記録動作が中止された状態である
ことを特徴とする請求項１に記載の記録装置。
【請求項４】
前記記録データがない場合とは、同一の前記記録媒体に記録される画像データの途中に画像データがない状態である
ことを特徴とする請求項１に記載の記録装置。
【請求項５】
前記時間Ｔ１は、前記画像領域Ｗ１の記録ドット数に応じて異ならせる
ことを特徴とする請求項１に記載の記録装置。
【請求項６】
前記記録ドット数を算出する算出手段を更に備える
ことを特徴とする請求項５に記載の記録装置。
【請求項７】
前記記録ドット数を、当該記録装置に記録データを供給するホストコンピュータから受信する受信手段を更に備える
ことを特徴とする請求項５に記載の記録装置。
【請求項８】
前記時間Ｔ１は、一定値である
ことを特徴とする請求項１に記載の記録装置。
【請求項９】
前記時間Ｔ１は、前記記録媒体の種類、記録媒体の大きさ、前記記録ヘッドから吐出されるインク吐出量、１画素当たりのデータ量、記録対象の画像領域、前記排出側に最も近いインク吐出口から前記ローラまでの距離、記録モードの少なくとも１つ、あるいは、それらの任意の組み合わせに応じて異ならせる
ことを特徴とする請求項１に記載の記録装置。
【請求項１０】
前記画像領域Ｗ１を完成させる記録動作には、前記記録ヘッドの主走査間、または前記録媒体の副走査間に休止時間を設けている
ことを特徴とする請求項１に記載の記録装置。
【請求項１１】
前記画像領域Ｗ１の完成から前記時間（１／３）×Ｔ１以上経過するまでの、前記記録ヘッドの主走査と前記記録媒体の副走査の少なくともどちらか一方の動作を繰り返す動作として、前記制御手段は、前記画像領域Ｗ１を完成させる記録動作と同じ動作を実行する
ことを特徴とする請求項１に記載の記録装置。
【請求項１２】
前記画像領域Ｗ１の完成から前記時間（１／３）×Ｔ１以上経過するまでの、前記記録ヘッドの主走査と前記記録媒体の副走査の少なくともどちらか一方の動作を繰り返す動作において、前記制御手段は、前記繰り返す動作間に休止時間を設けている
ことを特徴とする請求項１に記載の記録装置。
【請求項１３】
主走査方向とは異なる副走査方向に並ぶ複数のインク吐出口を備える記録ヘッドと、供給口から供給された記録媒体を排出口から外部に排出する排出側と前記記録ヘッド間に配置される、前記記録媒体の記録面に接しながら該記録媒体を搬送するためのローラとを備え、前記記録ヘッドを前記主走査方向に主走査しながら、前記記録媒体を前記副走査方向に相対的に副走査させながら記録を行う記録装置の制御方法であって、
前記記録ヘッドによる記録を行うための記録データを受信する受信工程と、
前記受信工程で受信した記録データに基づいて、前記記録ヘッドの主走査と前記記録媒体の副走査を制御する制御工程とを備え、
前記記録ヘッドからインクを吐出して前記記録媒体の記録面に記録する画像領域Ｗ１を完成させる記録動作において、
前記主走査方向が前記記録媒体の記録面に記録する全画像領域の中で最も主走査方向の記録幅が短い画像領域の主走査方向の幅Ｘ１とし、
前記副走査方向が前記画像領域Ｗ１の記録に使用するインク吐出口の内、前記排出側に最も近いインク吐出口から前記ローラまでの幅から、前記インク吐出口の幅を差し引いた幅Ｙ１とし、
前記幅Ｘ１及び前記幅Ｙ１で囲まれる画像領域Ｗ２を完成させるのに要する時間Ｔ１とした場合、
前記制御工程は、前記画像領域Ｗ１が完成した時点から、前記時間Ｔ１以上の時間を経過後に、前記画像領域Ｗ１が前記ローラと接触するように、前記記録媒体の副走査を制御するとともに、
前記画像領域Ｗ１よりも前記記録媒体の供給側の領域に記録対象の記録データがない場合は、前記画像領域Ｗ１の完成から（１／３）×Ｔ１以上の時間を経過するまで、前記記録ヘッドの主走査と前記記録媒体の副走査の少なくともどちらか一方の動作を繰り返し実行するように制御する
ことを特徴とする記録装置の制御方法。
【請求項１４】
主走査方向とは異なる副走査方向に並ぶ複数のインク吐出口を備える記録ヘッドと、供給口から供給された記録媒体を排出口から外部に排出する排出側と前記記録ヘッド間に配置される、前記記録媒体の記録面に接しながら該記録媒体を搬送するためのローラとを備え、前記記録ヘッドを前記主走査方向に主走査しながら、前記記録媒体を前記副走査方向に相対的に副走査させながら記録を行う記録装置の制御を実現するプログラムであって、
前記記録ヘッドによる記録を行うための記録データを受信する受信工程のプログラムコードと、
前記受信工程で受信した記録データに基づいて、前記記録ヘッドの主走査と前記記録媒体の副走査を制御する制御工程のプログラムコードとを備え、
前記記録ヘッドからインクを吐出して前記記録媒体の記録面に記録する画像領域Ｗ１を完成させる記録動作において、
前記主走査方向が前記記録媒体の記録面に記録する全画像領域の中で最も主走査方向の記録幅が短い画像領域の主走査方向の幅Ｘ１とし、
前記副走査方向が前記画像領域Ｗ１の記録に使用するインク吐出口の内、前記排出側に最も近いインク吐出口から前記ローラまでの幅から、前記インク吐出口の幅を差し引いた幅Ｙ１とし、
前記幅Ｘ１及び前記幅Ｙ１で囲まれる画像領域Ｗ２を完成させるのに要する時間Ｔ１とした場合、
前記制御工程は、前記画像領域Ｗ１が完成した時点から、前記時間Ｔ１以上の時間を経過後に、前記画像領域Ｗ１が前記ローラと接触するように、前記記録媒体の副走査を制御するとともに、
前記画像領域Ｗ１よりも前記記録媒体の供給側の領域に記録対象の記録データがない場合は、前記画像領域Ｗ１の完成から（１／３）×Ｔ１以上の時間を経過するまで、前記記録ヘッドの主走査と前記記録媒体の副走査の少なくともどちらか一方の動作を繰り返し実行するように制御する
ことを特徴とするプログラム。
【発明の詳細な説明】
【技術分野】
【０００１】
本発明は、記録ヘッドを主走査方向に主走査しながら、記録媒体を前記主走査方向とは異なる副走査方向に相対的に副走査させながら記録を行う記録装置及びその制御方法、プログラムに関するものである。
【背景技術】
【０００２】
プリンタ、複写機、ファクシミリ等の機能を有する記録装置、あるいはコンピュータやワードプロセッサ等を含む複合型電子機器やワークステーション等の端末の出力機器として用いられる記録装置は、画像情報（文字情報等を含む）に基づいて、記録用紙やプラスチック薄板等の被記録媒体に画像（文字等を含む）を記録していくように構成されている。
【０００３】
この記録装置は、記録方式により、インクジェット式、ワイヤドット式、サーマル式、レーザービーム式等に分けることができる。これらの記録方式の内、インクジェット式の記録装置（インクジェット記録装置）は、記録手段（記録ヘッド）から被記録媒体にインクを吐出して記録を行うものであり、他の記録方式に比べて高精細化が容易でしかも高速で静粛性に優れ、かつ安価であるという優れた特徴を有する。
【０００４】
インクジェット記録装置は、記録速度の向上のため、複数の記録素子を集積配列してなる記録ヘッドとして、インク吐出部としてのインク吐出口及び液路を複数集積したものを用い、さらにカラー対応として、複数個の前記記録ヘッドを備えたものが一般的である。
【０００５】
ここで、一般的なインクジェック記録装置の構成について、図１を用いて説明する。
【０００６】
図１は、特に、記録ヘッドで、記録媒体である記録紙面上を記録していく際のプリンタ部の構成を示している。
【０００７】
図１において、１０１はインクカートリッジである。これらは、４色のカラーインク、ブラック、シアン、マゼンタ、イエローがそれぞれ詰め込まれたインクタンクと、各色に対応した記録ヘッド１０２より構成されている。この記録ヘッド１０２上に配列するインク吐出口の様子をＺ方向から示したものが図２であり、２０１は記録ヘッド１０２上に複数配列されたインク吐出口である。
【０００８】
再び、図１に戻ると、１０３は紙送りローラであり、拍車１０４とともに記録媒体Ｐを抑えながら図の矢印の方向に回転し、記録媒体ＰをＹ方向（副走査方向）に随時搬送していく。また、１０５は給紙ローラであり、記録媒体Ｐの給紙を行うとともに、紙送りローラ１０３、拍車１０４と同様、記録媒体Ｐを抑える役割も果たす。
【０００９】
１０６は４つのインクカートリッジ１０１を支持し、記録とともにこれらを移動させるキャリッジである。これは記録を行っていないとき、あるいは記録ヘッド１０２の回復作業等を行うときには、図の点線で示した位置のホームポジションｈに待機するようになっている。
【００１０】
記録開始前、図の位置（ホームポジションｈ）にあるキャリッジ１０６は、記録開始命令がくると、Ｘ方向（主走査方向）に移動しながら、記録ヘッド１０２上の複数のインク吐出口２０１により、記録材（インク）を記録媒体Ｐに吐出することで記録を行う。ホームポジションｈとは反対側に位置する記録媒体Ｐの端部まで画像を形成するための記録が終了すると、キャリッジ１０６は元のホームポジションｈに戻り、再びＸ方向への記録を繰り返す片方向記録を行う。また、高速印刷を行う場合には、Ｘ方向の往路方向と−Ｘ方向の復路方向の両方から記録を行う双方向記録を行う。
【００１１】
また、各主走査方向の記録の間に休止時間を設けることにより、記録媒体Ｐへのインクの浸透及び定着のための時間を確保し、濃度ムラ、色ムラ、色間にじみ、記録ヘッドと記録媒体が接触することによる記録媒体汚れを防止することができる。例えば、特許文献１には、記録ヘッドと記録媒体とが接触することによって生じる記録媒体の汚れを防止するために、各主走査の間にのみ休止時間を設けた構成が開示されている。
【特許文献１】特開２００２−３６１８５４号公報
【発明の開示】
【発明が解決しようとする課題】
【００１２】
上述のようなインクジェット記録装置において、特に、写真専用のＡ６サイズまでの記録媒体しか記録できないインクジェット記録装置は、小液滴や淡濃度インクの使用で画質が向上する。ここで、さらなる高画質化を達成するために、特に、排紙側のローラだけで紙送りを行う場合に記録される後端部分の精度の向上が求められている。
【００１３】
ここで、従来の拍車による紙送りでは、記録媒体の後端で、拍車のみで記録媒体を支えて送るために、記録媒体の位置決め精度が低下し、その結果、記録媒体に記録される画像の画質が低下してしまう。そこで、従来の拍車による紙送りの代わりに、ローラを使用する方法が採られている。
【００１４】
しかしながら、記録媒体へのインクの定着が不十分な状態である悪い場合には、記録媒体の記録面がローラに擦れることにより、ローラに記録媒体上の記録画像が転写し、記録画像とローラの両方が汚れてしまう。また、１度ローラにインクが一度付着してしまうと、が汚れると、その直後後の記録画像にもローラからインクが転写し、記録画像は不要なインクによってて汚れることになる。てしまう。しかしながら、従来の各主走査の間に休止時間を設けるだけでは、排紙時や印刷中止時には画像とローラの汚れを防止することはできない。
【００１５】
本発明は上記の課題を解決するためになされたものであり、記録媒体へのインクの定着が不十分な悪い場合でも、記録媒体上の記録画像が排紙ローラに擦れ、記録画像と排紙ローラがインクによって汚れるのを防止することができる記録装置及びその制御方法、プログラムを提供することを目的とする。
【課題を解決するための手段】
【００１６】
上記の目的を達成するための本発明による記録装置は以下の構成を備える。即ち、
記録ヘッドを主走査方向に主走査しながら、記録媒体を前記主走査方向とは異なる副走査方向に相対的に副走査させながら記録を行う記録装置であって、
前記副走査方向に並ぶ複数のインク吐出口を備える前記記録ヘッドと、
当該記録装置の供給口から供給された前記記録媒体を排出口から外部に排出する排出側と前記記録ヘッド間に配置される、前記記録媒体の記録面に接しながら該記録媒体を搬送するためのローラと、
前記記録ヘッドの主走査と前記記録媒体の副走査を制御する制御手段とを備え、
前記記録ヘッドからインクを吐出して前記記録媒体の記録面に記録する画像領域Ｗ１を完成させる記録動作において、
前記主走査方向が前記記録媒体の記録面に記録する全画像領域の中で最も主走査方向の記録幅が短い画像領域の主走査方向の幅Ｘ１とし、
前記副走査方向が前記画像領域Ｗ１の記録に使用するインク吐出口の内、前記排出側に最も近いインク吐出口から前記ローラまでの幅から、前記インク吐出口の幅を差し引いた幅Ｙ１とし、
前記幅Ｘ１及び前記幅Ｙ１で囲まれる画像領域Ｗ２を完成させるのに要する時間Ｔ１とした場合、
前記制御手段は、前記画像領域Ｗ１が完成した時点から、前記時間Ｔ１以上の時間を経過後に、前記画像領域Ｗ１が前記ローラと接触するように、前記記録媒体の副走査を制御するとともに、
前記画像領域Ｗ１よりも前記記録媒体の供給側の領域に記録対象の記録データがない場合は、前記画像領域Ｗ１の完成から（１／３）×Ｔ１以上の時間を経過するまで、前記記録ヘッドの主走査と前記記録媒体の副走査の少なくともどちらか一方の動作を繰り返し実行するように制御する。
【００１７】
また、好ましくは、前記記録データがない場合とは、同一の前記記録媒体に記録される画像データが全て記録し終えた状態である。
【００１８】
また、好ましくは、前記記録データがない場合とは、同一の前記記録媒体に記録される画像データが全て記録し終える前に、記録動作が中止された状態である。
【００１９】
また、好ましくは、前記記録データがない場合とは、同一の前記記録媒体に記録される画像データの途中に画像データがない状態である。
【００２０】
また、好ましくは、前記時間Ｔ１は、前記画像領域Ｗ１の記録ドット数に応じて異ならせる。
【００２１】
また、好ましくは、前記記録ドット数を算出する算出手段を更に備える。
【００２２】
また、好ましくは、前記記録ドット数を、当該記録装置に記録データを供給するホストコンピュータから受信する受信手段を更に備える。
【００２３】
また、好ましくは、前記時間Ｔ１は、一定値である。
【００２４】
また、好ましくは、前記時間Ｔ１は、前記記録媒体の種類、記録媒体の大きさ、前記記録ヘッドから吐出されるインク吐出量、１画素当たりのデータ量、記録対象の画像領域、前記排出側に最も近いインク吐出口から前記ローラまでの距離、記録モードの少なくとも１つ、あるいは、それらの任意の組み合わせに応じて異ならせる。
【００２５】
また、好ましくは、前記画像領域Ｗ１を完成させる記録動作には、前記記録ヘッドの主走査間、または前記録媒体の副走査間に休止時間を設けている。
【００２６】
また、好ましくは、前記画像領域Ｗ１の完成から前記時間（１／３）×Ｔ１以上経過するまでの、前記記録ヘッドの主走査と前記記録媒体の副走査の少なくともどちらか一方の動作を繰り返す動作として、前記制御手段は、前記画像領域Ｗ１を完成させる記録動作と同じ動作を実行する。
【００２７】
また、好ましくは、前記画像領域Ｗ１の完成から前記時間（１／３）×Ｔ１以上経過するまでの、前記記録ヘッドの主走査と前記記録媒体の副走査の少なくともどちらか一方の動作を繰り返す動作において、前記制御手段は、前記繰り返す動作間に休止時間を設けている。
【００２８】
上記の目的を達成するための本発明による記録装置の制御方法は以下の構成を備える。即ち、
主走査方向とは異なる副走査方向に並ぶ複数のインク吐出口を備える記録ヘッドと、供給口から供給された記録媒体を排出口から外部に排出する排出側と前記記録ヘッド間に配置される、前記記録媒体の記録面に接しながら該記録媒体を搬送するためのローラとを備え、前記記録ヘッドを前記主走査方向に主走査しながら、前記記録媒体を前記副走査方向に相対的に副走査させながら記録を行う記録装置の制御方法であって、
前記記録ヘッドによる記録を行うための記録データを受信する受信工程と、
前記受信工程で受信した記録データに基づいて、前記記録ヘッドの主走査と前記記録媒体の副走査を制御する制御工程とを備え、
前記記録ヘッドからインクを吐出して前記記録媒体の記録面に記録する画像領域Ｗ１を完成させる記録動作において、
前記主走査方向が前記記録媒体の記録面に記録する全画像領域の中で最も主走査方向の記録幅が短い画像領域の主走査方向の幅Ｘ１とし、
前記副走査方向が前記画像領域Ｗ１の記録に使用するインク吐出口の内、前記排出側に最も近いインク吐出口から前記ローラまでの幅から、前記インク吐出口の幅を差し引いた幅Ｙ１とし、
前記幅Ｘ１及び前記幅Ｙ１で囲まれる画像領域Ｗ２を完成させるのに要する時間Ｔ１とした場合、
前記制御工程は、前記画像領域Ｗ１が完成した時点から、前記時間Ｔ１以上の時間を経過後に、前記画像領域Ｗ１が前記ローラと接触するように、前記記録媒体の副走査を制御するとともに、
前記画像領域Ｗ１よりも前記記録媒体の供給側の領域に記録対象の記録データがない場合は、前記画像領域Ｗ１の完成から（１／３）×Ｔ１以上の時間を経過するまで、前記記録ヘッドの主走査と前記記録媒体の副走査の少なくともどちらか一方の動作を繰り返し実行するように制御する。
【００２９】
上記の目的を達成するための本発明によるプログラムは以下の構成を備える。即ち、
主走査方向とは異なる副走査方向に並ぶ複数のインク吐出口を備える記録ヘッドと、供給口から供給された記録媒体を排出口から外部に排出する排出側と前記記録ヘッド間に配置される、前記記録媒体の記録面に接しながら該記録媒体を搬送するためのローラとを備え、前記記録ヘッドを前記主走査方向に主走査しながら、前記記録媒体を前記副走査方向に相対的に副走査させながら記録を行う記録装置の制御を実現するプログラムであって、
前記記録ヘッドによる記録を行うための記録データを受信する受信工程のプログラムコードと、
前記受信工程で受信した記録データに基づいて、前記記録ヘッドの主走査と前記記録媒体の副走査を制御する制御工程のプログラムコードとを備え、
前記記録ヘッドからインクを吐出して前記記録媒体の記録面に記録する画像領域Ｗ１を完成させる記録動作において、
前記主走査方向が前記記録媒体の記録面に記録する全画像領域の中で最も主走査方向の記録幅が短い画像領域の主走査方向の幅Ｘ１とし、
前記副走査方向が前記画像領域Ｗ１の記録に使用するインク吐出口の内、前記排出側に最も近いインク吐出口から前記ローラまでの幅から、前記インク吐出口の幅を差し引いた幅Ｙ１とし、
前記幅Ｘ１及び前記幅Ｙ１で囲まれる画像領域Ｗ２を完成させるのに要する時間Ｔ１とした場合、
前記制御工程は、前記画像領域Ｗ１が完成した時点から、前記時間Ｔ１以上の時間を経過後に、前記画像領域Ｗ１が前記ローラと接触するように、前記記録媒体の副走査を制御するとともに、
前記画像領域Ｗ１よりも前記記録媒体の供給側の領域に記録対象の記録データがない場合は、前記画像領域Ｗ１の完成から（１／３）×Ｔ１以上の時間を経過するまで、前記記録ヘッドの主走査と前記記録媒体の副走査の少なくともどちらか一方の動作を繰り返し実行するように制御する。
【発明の効果】
【００３０】
本発明によれば、記録媒体へのインクの定着が不十分な悪い場合でも、記録媒体上の記録画像が排紙ローラに擦れ、記録画像と排紙ローラがインクによって汚れるのを防止することができる記録装置及びその制御方法、プログラムを提供できる。
【発明を実施するための最良の形態】
【００３１】
以下、本発明の実施の形態について図面を用いて詳細に説明する。
【００３２】
尚、本明細書において、「プリント」（以下においては「記録」という場合もある）とは、文字、図形等有意の情報を形成する場合のみならず、有意無意を問わず、また人間が視覚で知覚しうるように顕在化したものであるか否かを問わず、記録媒体上に液体を付与することによって広く画像、模様、パターン等を形成する、または媒体の加工を行う場合も言うものとする。
【００３３】
また、「記録媒体」とは、一般的な記録装置で用いられている紙のみならず、広く布、プラスチックフィルム、金属板等、記録ヘッドによって吐出されるインクを受容可能なものも言うものとする。
【００３４】
さらに「インク」とは、上記「プリント」の定義と同様広く解釈されるべきもので、記録媒体上に付与されることによって画像、模様、パターン等の形成、または記録媒体の加工に供されうる液体を言うものとする。
【００３５】
まず、本発明の各実施形態に係るインクジェット記録装置の制御構成について、図３を用いて説明する。
【００３６】
図３は本発明の各実施形態に係るインクジェット記録装置の制御構成を示すブロック図である。
【００３７】
尚、以下の各実施形態のインクジェット記録装置の機械的構成は、図１に示したものと同様とする。
【００３８】
図３において、インクジェット記録装置の制御構成は、メインバスライン３０５に対して夫々アクセスする画像入力部３０３、それに対応する画像信号処理部３０４、中央制御部（ＣＰＵ）３００等のソフト系処理部と、操作部３０６、回復系制御回路３０７、ヘッド温度制御回路３１４、ヘッド駆動制御回路３１５、主走査方向へのキャリッジ１０６の駆動を制御するキャリッジ駆動制御回路３１６、記録媒体の副走査方向への紙送りを制御する紙送り制御回路３１７等のハード系処理部とに大別される。
【００３９】
ＣＰＵ３００は、通常、ＲＯＭ（読出専用メモリ）３０１とＲＡＭ（任意のアドレスにアクセスできるメモリ）３０２とＥＥＰＲＯＭ（電気的消却プログラム可能型読取専用メモリ）３１８を有し、入力情報に対して適正な記録条件を与えて記録ヘッド３１３を駆動して記録を行う。また、ＲＡＭ３０２内には、予め記録ヘッド３１３の回復タイミングチャートを実行するプログラムが格納されており、必要に応じて予備吐出条件等の回復条件を回復系制御回路３０７、記録ヘッド３１３、保温ヒータ３１３ａ等に与える。
【００４０】
回復系モータ３０８は、記録ヘッド３１３とこれに対向離間するクリーニングブレード３０９やキャップ３１０、吸引ポンプ３１１を駆動する。ヘッド駆動制御回路３１５は、記録ヘッド３１３のインク吐出用電気熱変換体の駆動条件を実行するもので、通常、予備吐出や記録用インク吐出を記録ヘッド３１３に行わせる。
【００４１】
一方、記録ヘッド３１３のインク吐出用電気熱変換体が設けられている基板には、保温ヒータ３１３ａが設けられている場合もあり、記録ヘッド３１３内のインク温度を所望設定温度に加熱調整することができる。また、ダイオードセンサ３１２は、同様に前記基板に設けられているもので、実質的な記録ヘッド３１３内部のインク温度を測定するためのものである。ダイオードセンサ３１２は、基板にではなく外部に設けられていても良く、記録ヘッド３１３の周囲近傍にあっても良い。
【００４２】
尚、インクジェット記録装置には、インクジェット記録装置で記録を行うための記録データを供給するホストコンピュータ（不図示）と接続可能である。ホストコンピュータは、記録動作を実現可能にするための記録データを生成し、その記録データのインクジェット記録装置への出力を制御する。この記録データの生成及び出力制御は、例えば、ホストコンピュータ上に搭載されるインクジェット記録装置に対応するプリンタドライバ等の専用プログラムによって実現されるが、その専用プログラムが実行する処理を実現する専用ハードウェアで実現しても良い。
【００４３】
また、ホストコンピュータは、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。
【００４４】
次に、インクジェット記録装置の概略構成について、図４を用いて説明する。
【００４５】
図４は本発明の実施形態に係るインクジェット記録装置の概略構成を示す図である。
【００４６】
図４では、記録ヘッドで記録媒体上を記録していく際のプリンタ部の構成を示したものである。
【００４７】
図４において、４０１はインクカートリッジである。これらは、４色のカラーインク、ブラック、シアン、マゼンタ、イエローがそれぞれ詰め込まれたインクタンクと、各色に対応する同一の記録ヘッド４０２より構成されている。この記録ヘッド４０２上に配列するインク吐出口の様子をＺ方向から示したものが図２であり、２０１は記録ヘッド４０２上に複数配列されたインク吐出口である。
【００４８】
再び、図４に戻ると、４０３は紙送りローラであり、補助ローラ（排紙ローラ）４０４とともに記録媒体Ｐを抑えながら図の矢印の方向に回転し、記録媒体ＰをＹ方向（副走査方向）に随時搬送していく。また、４０５は給紙ローラであり、記録媒体Ｐの給紙を行うとともに、紙送りローラ４０３、排紙ローラ４０４と同様、記録媒体Ｐを抑える役割も果たす。
【００４９】
ここで、排紙ローラ４０４は、インクジェット記録装置の給紙口（供給口）から記録媒体Ｐを給紙（供給）した後、記録ヘッド４０２の記録動作に応じて、記録媒体Ｐを順次搬送して、インクジェット記録装置の排紙口から記録媒体Ｐを外部に排紙（排出）する排紙（排出）位置と、記録ヘッド４０２の位置間に配置されている。換言すれば、記録ヘッド４０２よりも排出側に、排紙ローラ４０４が配置されている。
【００５０】
４０６は４つのインクカートリッジ４０１を支持し、記録とともにこれらを移動させるキャリッジである。これは記録を行っていないとき、あるいは記録ヘッド４０２の回復作業等を行うときには、図の点線で示した位置のホームポジションｈに待機するようになっている。
【００５１】
記録開始前、図の位置（ホームポジションｈ）にあるキャリッジ４０６は、記録開始命令がくると、Ｘ方向の主走査方向に移動しながら、記録ヘッド４０２上の複数のインク吐出口２０１により、記録剤（インク）を記録媒体Ｐに吐出することで記録を行う。ホームポジションｈとは反対側に位置する記録媒体Ｐの端部まで画像を形成するための記録が終了すると、キャリッジ４０６は元のホームポジションｈに戻り、再びＸ方向への記録を繰り返す片方向記録を行う。
【００５２】
または、記録開始前、図の位置（ホームポジションｈ）にあるキャリッジ４０６は、記録開始命令がくると、Ｘ方向の主走査方向に移動しながら、記録ヘッド４０２上の複数のインク吐出口２０１により、記録材（インク）を記録媒体Ｐに吐出することで記録を行う。そして、ホームポジションｈとは反対側に位置する記録媒体端部まで画像を形成するための記録が終了すると、−Ｘ方向の主走査方向に移動しながら、記録ヘッド４０２上の複数のインク吐出口２０１により記録を行う。そして、ホームポジションｈとは反対側に位置する記録媒体Ｐの端部まで画像を形成するための記録が終了すると、キャリッジ４０６は元のホームポジションｈに戻り、再び、Ｘ方向への記録を繰り返す双方向（往復）記録を行う。
【００５３】
以上の装置構成に基づく、本発明のいくつかの実施形態について以下に説明する。
【００５４】
（実施形態１）
実施形態１では、図２に示すインク吐出口列が一列で構成された記録ヘッド４０２を１つ備え、この記録ヘッド４０２は、ブラックのインクを吐出する。記録ヘッド４０２は、例えば、インク吐出口数Ｌ＝２５６個で、インク吐出口の間隔が１／１２００インチにより記録画素密度が１２００ｄｐｉになるように構成されており、実施形態１では、全てのインク吐出口を使用して記録を行う。
【００５５】
また、記録ヘッド４０２からのインク吐出量は、例えば、１滴あたり約４ｐｌのインク滴が吐出可能なように構成されており、このインク滴を安定して吐出するための吐出周波数は、例えば、２４ＫＨｚで、吐出速度は、例えば、約２０ｍ／秒となっている。この記録ヘッド４０２を搭載したキャリッジ４０６の主走査方向への速度は、主走査方向にインク滴を１２００ｄｐｉ間隔に記録すると、約２０インチ／秒となる。
【００５６】
ここで、このような構成の場合の１００％の記録デューティーについて、図５を用いて説明する。
【００５７】
図５は本発明の実施形態１の１００％の記録デューティーを示す図である。
【００５８】
実施形態１では、１２００ｄｐｉ×１２００ｄｐｉ画素に対し、吐出量４ｐｌのインク滴が１ドットで１００％の記録デューティーと定義する。
【００５９】
また、１２００ｄｐｉ×１２００ｄｐｉの１画素当たりのデータ量は、１２００ｄｐｉ×１２００ｄｐｉの格子に「ドット無し」と「ドット有り」からなる１ｂｉｔとする。
【００６０】
記録ヘッド４０２を使用して、各画像領域を往路の主走査方向で完成させ、往路と復路の主走査の間に休止時間を設ける片方向記録の場合について、図４、図６、図７、図８、図９及び図１０を用いて説明する。
【００６１】
まず、実施形態１の記録画像の一例について、図６を用いて説明する。
【００６２】
図６は本発明の実施形態１の記録画像を示す図である。
【００６３】
図６では、例えば、記録媒体Ｐとして、そのサイズが４×６インチの、写真画質の画像を得られる光沢紙の例を示している。また、この記録媒体Ｐに記録する記録画像としては、各画像領域Ａ〜Ｄは、記録デューティーが１００％の縦２５６／１２００インチ、横４インチのサイズの画像である。
【００６４】
次に、本発明の実施形態１の記録動作について、図７を用いて説明する。
【００６５】
図７は本発明の実施形態１の記録動作を示す図である。
【００６６】
図７では、画像を記録するときの記録ヘッド４０２と各走査での記録の関係を示している。図７の場合、１走査目で、記録ヘッド４０２の各インク吐出口からインク滴を吐出し、画像領域Ａを記録して、画像領域Ａを完成させる。２走査目で、記録ヘッド４０２はホームポジションｈ側に戻る。
【００６７】
同様に、３走査目で、記録ヘッド４０２の各インク吐出口からインク滴を吐出し、画像領域Ｂを記録して、画像領域Ｂを完成させる。４走査目で、記録ヘッド４０２はホームポジションｈ側に戻る。
【００６８】
同様に、５走査目で、記録ヘッド４０２の各インク吐出口からインク滴を吐出し、画像領域Ｃを記録して、画像領域Ｃを完成させる。６走査目で、記録ヘッド４０２はホームポジションｈ側に戻る。
【００６９】
同様に、７走査目で、記録ヘッド４０２の各インク吐出口からインク滴を吐出し、画像領域Ｄを記録して、画像領域Ｄを完成させる。８走査目で、記録ヘッド４０２はホームポジションｈ側に戻る。
【００７０】
図８は、記録デューティーが１００％で、サイズが２５６／１２００インチ四方のパッチを示す図である。
【００７１】
２５６／１２００インチ四方のパッチ内の記録ドット数は、記録デューティーが１００％であることから、縦２５６ドット×横２５６ドット＝６５５３６ドットとなる。
【００７２】
図９は、図８の画像を完成させてから、排紙ローラ４０４を通過するまでの時間と排紙ローラ４０４の汚れ具合、及び汚れた排紙ローラ４０４から記録媒体Ｐの記録面への汚れの転写具合の関係を示した表である。
【００７３】
図９の表は、図８の画像を完成させてから、排紙ローラ４０４を通過するまでの時間を０．４秒、３．６秒、７．６秒、１０．６秒、１３．６秒と異ならせて、その時の排紙ローラ４０４及び記録媒体Ｐの記録面への汚れ具合を評価したものである。
【００７４】
このときの０．４秒は、副走査方向への走査だけ繰り返して記録媒体Ｐの排紙を行う場合である。
【００７５】
図９において、「○」は、排紙ローラ４０４の汚れ具合及び汚れた排紙ローラ４０４から記録媒体Ｐの記録面への汚れが無い場合である。
【００７６】
「×」は、排紙ローラ４０４の汚れ具合及び汚れた排紙ローラ４０４から記録媒体Ｐの記録面への汚れがひどい場合である。
【００７７】
「△」は、排紙ローラ４０４は汚れているが、排紙ローラ４０４から記録媒体Ｐの記録面へ汚れが転写していない場合である。
【００７８】
評価結果より、図８の画像の記録を完成させてから、排紙ローラ４０４を通過するまでの時間が１０．６秒以上であれば、排紙ローラ４０４及び記録媒体の記録面への汚れは発生しないことが解った。
【００７９】
次に、実施形態１のインクジェット記録装置の記録動作について、図１０を用いて説明する。
【００８０】
図１０は本発明の実施形態１のインクジェット記録装置の記録動作を示すフローチャートである。
【００８１】
尚、図１０では、図６で示す画像領域Ａ〜Ｄを記録する場合を例に挙げて説明する。
【００８２】
まず、ステップＳ１００１において、記録媒体Ｐの給紙を行う。ステップＳ１００２において、記録媒体Ｐの１ページ内に記録対象の記録データの有無を判定する。記録データがない場合（ステップＳ１００２でＮＯ）、ステップＳ１０１５に進む。一方、記録データがある場合（ステップＳ１００２でＹＥＳ）、ステップＳ１００３に進む。
【００８３】
この場合、図６で示す画像領域Ａを記録するため、ページ内に記録対象の記録データがあると判定し、ステップＳ１００３に進む。
【００８４】
ステップＳ１００３において、主走査方向に記録する記録データを読み込む。この場合、画像領域Ａに対応する記録データを読み込む。ステップＳ１００４において、往路の主走査方向へ記録ヘッド４０２を移動しながら記録を行う。図７の場合、１走査目で、往路の主走査方向へ記録ヘッド４０２を移動しながら、画像領域Ａの記録を行う。
【００８５】
ステップＳ１００５において、記録が終了してからの時間Ｔの計測を開始する。ステップＳ１００６において、休止時間として、反ホームポジションで所定時間Ｔ２（この場合、１０秒間）記録を休止する。
【００８６】
ステップＳ１００７において、休止後に、復路の主走査方向へ記録ヘッド４０２を移動する。ステップＳ１００８において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【００８７】
ここまでに、時間Ｔは、１走査目の往路と２走査目の復路の主走査方向間の休止時間のＴ２＝１０秒と、２走査目の復路の主走査にかかる０．２秒を合計した１０．２秒が計測されている。
【００８８】
次に、ステップＳ１００９において、ページ内に記録対象の記録データの有無を判定する。記録データがない場合（ステップＳ１００９でＮＯ）、ステップＳ１０１０に進む。一方、記録データがある場合（ステップＳ１００９でＹＥＳ）、ステップＳ１００３に戻る。
【００８９】
この場合、図６で示す画像領域Ｂを記録するため、ページ内に記録対象の記録データがあると判定し、ステップＳ１００３に戻る。
【００９０】
画像領域Ｂに対する記録動作としては、ステップＳ１００３において、画像領域Ｂに対応する記録データを読み込む。ステップＳ１００４において、図７の３走査目で、往路の主走査方向へ記録ヘッド４０２を移動しながら、画像領域Ｂの記録を行う。次に、ステップＳ１００５において、時間Ｔの値を上書きし、３走査目の記録が終了してからの時間Ｔの計測を再度開始する。
【００９１】
次に、ステップＳ１００６において、休止時間として、反ホームポジションで所定時間Ｔ２＝１０秒間記録を休止する。ステップＳ１００７において、休止後に、図７の４走査目で、復路の主走査方向へ記録ヘッド４０２を移動する。ステップＳ１００８において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【００９２】
ここまでに、時間Ｔは、３走査目の往路と４走査目の復路の主走査方向間の休止時間のＴ２＝１０秒と、４走査目の復路の主走査にかかる０．２秒を合計した１０．２秒が計測されている。
【００９３】
また、この時点で画像領域Ａが完成した時点からの時間Ｔａは、
１走査目の往路と２走査目の復路の主走査方向間の休止時間のＴ２＝１０秒と、
３走査目の往路と４走査目の復路の主走査方向間の休止時間のＴ２＝１０秒と、
２走査目の復路の主走査にかかる０．２秒と、
３走査目の往路の主走査にかかる０．２秒と、
４走査目の復路の主走査にかかる０．２秒を合計した２０．６秒となる。
【００９４】
次に、ステップＳ１００９の判定では、図６で示す画像領域Ｃを記録するため、ページ内に記録対象の記録データがあると判定し、ステップＳ１００３に戻る。
【００９５】
画像領域Ｃに対する記録動作としては、ステップＳ１００３において、画像領域Ｃに対応する記録データを読み込む。ステップＳ１００４において、図７の５走査目で、往路の主走査方向へ記録ヘッド４０２を移動しながら、画像領域Ｃの記録を行う。次に、ステップＳ１００５において、時間Ｔの値を上書きし、５走査目の記録が終了してからの時間Ｔの計測を再度開始する。
【００９６】
ステップＳ１００６において、休止時間として、反ホームポジションで所定時間Ｔ２＝１０秒間記録を休止する。ステップＳ１００７において、休止後に、図７の６走査目で、復路の主走査方向へ記録ヘッド４０２を移動する。ステップＳ１００８において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【００９７】
ここまでに、時間Ｔは、５走査目の往路と６走査目の復路の主走査方向間の休止時間のＴ２＝１０秒と、６走査目の復路の主走査にかかる０．２秒を合計した１０．２秒が計測されている。
【００９８】
また、この時点で画像領域Ａが完成した時点からの時間Ｔａは、
１走査目の往路と２走査目の復路の主走査方向間の休止時間のＴ２＝１０秒と、
３走査目の往路と４走査目の復路の主走査方向間の休止時間のＴ２＝１０秒と、
５走査目の往路と６走査目の復路の主走査方向間の休止時間のＴ２＝１０秒と、
２走査目の復路の主走査にかかる０．２秒と、
３走査目の往路の主走査にかかる０．２秒と、
４走査目の復路の主走査にかかる０．２秒と、
５走査目の往路の主走査にかかる０．２秒と、
６走査目の復路の主走査にかかる０．２秒を合計した３１秒となる。
【００９９】
また、この時点で画像領域Ｂが完成した時点からの時間Ｔｂは、
３走査目の往路と４走査目の復路の主走査方向間の休止時間のＴ２＝１０秒と、
５走査目の往路と６走査目の復路の主走査方向間の休止時間のＴ２＝１０秒と、
４走査目の復路の主走査にかかる０．２秒と、
５走査目の往路の主走査にかかる０．２秒と、
６走査目の復路の主走査にかかる０．２秒を合計した２０．６秒となる。
【０１００】
次に、ステップＳ１００９の判定では、図６で示す画像領域Ｄを記録するため、ページ内に記録対象の記録データがあると判定し、ステップＳ１００３に戻る。
【０１０１】
画像領域Ｄに対する記録動作としては、ステップＳ１００３において、画像領域Ｄに対応する記録データを読み込む。ステップＳ１００４において、図７の７走査目で、往路の主走査方向へ記録ヘッド４０２を移動しながら、画像領域Ｄの記録を行う。次に、ステップＳ１００５において、時間Ｔの値を上書きし、７走査目の記録が終了してからの時間Ｔの計測を再度開始する。
【０１０２】
ステップＳ１００６において、休止時間として、反ホームポジションで所定時間Ｔ２＝１０秒間記録を休止する。ステップＳ１００７において、休止後に、図７の８走査目で復路の主走査方向へ記録ヘッド４０２を移動する。ステップＳ１００８において、ホームポジションｈ側に戻ると、紙送りローラ４０３と排紙ローラ４０４によって、記録媒体Ｐを副走査方向へ所定量（この場合、２５６／１２００インチ）搬送する。
【０１０３】
ここまでに、時間Ｔは、７走査目の往路と８走査目の復路の主走査方向間の休止時間のＴ２＝１０秒と、８走査目の復路の主走査にかかる０．２秒を合計した１０．２秒が計測されている。
【０１０４】
また、この時点で画像領域Ｂが完成した時点からの時間Ｔｂは、
３走査目の往路と４走査目の復路の主走査方向間の休止時間のＴ２＝１０秒と、
５走査目の往路と６走査目の復路の主走査方向間の休止時間のＴ２＝１０秒と、
７走査目の往路と８走査目の復路の主走査方向間の休止時間のＴ２＝１０秒と、
４走査目の復路の主走査にかかる０．２秒と、
５走査目の往路の主走査にかかる０．２秒と、
６走査目の復路の主走査にかかる０．２秒と、
７走査目の往路の主走査にかかる０．２秒と、
８走査目の復路の主走査にかかる０．２秒を合計した３１秒となる。
【０１０５】
また、この時点で画像領域Ｃが完成した時点からの時間Ｔｃは、
５走査目の往路と６走査目の復路の主走査方向間の休止時間のＴ２＝１０秒と、
７走査目の往路と８走査目の復路の主走査方向間の休止時間のＴ２＝１０秒と、
６走査目の復路の主走査にかかる０．２秒と、
７走査目の往路の主走査にかかる０．２秒と、
８走査目の復路の主走査にかかる０．２秒を合計した２０．６秒となる。
【０１０６】
また、この時点で画像領域Ａが完成した時点からの時間Ｔａは、
１走査目の往路と２走査目の復路の主走査方向間の休止時間のＴ２＝１０秒と、
３走査目の往路と４走査目の復路の主走査方向間の休止時間のＴ２＝１０秒と、
５走査目の往路と６走査目の復路の主走査方向間の休止時間のＴ２＝１０秒と、
７走査目の往路と８走査目の復路の主走査方向間の休止時間のＴ２＝１０秒と、
２走査目の復路の主走査にかかる０．２秒と、
３走査目の往路の主走査にかかる０．２秒と、
４走査目の復路の主走査にかかる０．２秒と、
５走査目の往路の主走査にかかる０．２秒と、
６走査目の復路の主走査にかかる０．２秒と、
７走査目の往路の主走査にかかる０．２秒と、
８走査目の復路の主走査にかかる０．２秒と
を合計した４１．２秒となり、画像領域Ａの記録が完成後、４１．２秒間経過してから排紙ローラ４０４を通過する。
【０１０７】
次に、ステップＳ１００９の判定では、図６で示す画像領域Ｄより排紙側には、記録対象となる画像領域がないため、ページ内に記録対象の記録データがないと判定し、ステップＳ１０１０に進む。
【０１０８】
ステップＳ１０１０において、画像領域Ｄが完成した時点からの時間Ｔが所定時間Ｔ１（この場合、１０．６秒）以上であるか否かを判定する。所定時間Ｔ１以上である場合（ステップＳ１０１０でＹＥＳ）、ステップＳ１０１５に進む。一方、所定時間Ｔ１未満である場合（ステップＳ１０１０でＮＯ）、ステップＳ１０１１に進む。
【０１０９】
この場合、画像領域Ｄが完成した時点からの時間Ｔは１０．２秒であるため、所定時間Ｔ１（＝１０．６秒）未満となり、ステップＳ１０１１に進む。
【０１１０】
ステップＳ１０１１において、図７の９走査目で、往路の主走査方向へ記録ヘッド４０２を移動する。ステップＳ１０１２において、休止時間として、反ホームポジションで所定時間Ｔ２＝１０秒間記録を休止する。ステップＳ１０１３において、休止後に、図７の１０走査目で、復路の主走査方向へ記録ヘッド４０２を移動する。
【０１１１】
ステップＳ１０１４において、ホームポジションｈ側に戻ると、紙送りローラ４０３と排紙ローラ４０４によって、記録媒体Ｐを副走査方向へ所定量（この場合、２５６／１２００インチ）搬送する。
【０１１２】
再度、ステップＳ１０１０において、画像領域Ｄが完成した時点からの時間Ｔが所定時間Ｔ１（＝１０．６秒）以上であるか否かを判定する。
【０１１３】
このとき、時間Ｔは、
７走査目の往路と８走査目の復路の主走査方向間の休止時間のＴ２＝１０秒と、
９走査目の往路と１０走査目の復路の主走査方向間の休止時間のＴ２＝１０秒と、
８走査目の復路の主走査にかかる０．２秒と、
９走査目の往路の主走査にかかる０．２秒と、
１０走査目の復路の主走査にかかる０．２秒を合計した２０．６秒となる。
【０１１４】
また、この時点で画像領域Ｂが完成した時点からの時間Ｔｂは、
３走査目の往路と４走査目の復路の主走査方向間の休止時間のＴ２＝１０秒と、
５走査目の往路と６走査目の復路の主走査方向間の休止時間のＴ２＝１０秒と、
７走査目の往路と８走査目の復路の主走査方向間の休止時間のＴ２＝１０秒と、
９走査目の往路と１０走査目の復路の主走査方向間の休止時間のＴ２＝１０秒と、
４走査目の復路の主走査にかかる０．２秒と、
５走査目の往路の主走査にかかる０．２秒と、
６走査目の復路の主走査にかかる０．２秒と、
７走査目の往路の主走査にかかる０．２秒と、
８走査目の復路の主走査にかかる０．２秒と、
９走査目の往路の主走査にかかる０．２秒と
１０走査目の復路の主走査にかかる０．２秒と、
を合計した４１．２秒となり、画像領域Ｂの記録が完成後、４１．２秒間経過してから排紙ローラ４０４を通過する。
【０１１５】
また、この時点で画像領域Ｃが完成した時点からの時間Ｔｃは、
５走査目の往路と６走査目の復路の主走査方向間の休止時間のＴ２＝１０秒と、
７走査目の往路と８走査目の復路の主走査方向間の休止時間のＴ２＝１０秒と、
９走査目の往路と１０走査目の復路の主走査方向間の休止時間のＴ２＝１０秒と、
６走査目の復路の主走査にかかる０．２秒と、
７走査目の往路の主走査にかかる０．２秒と、
８走査目の復路の主走査にかかる０．２秒と、
９走査目の往路の主走査にかかる０．２秒と
１０走査目の復路の主走査にかかる０．２秒を合計した３１秒となる。
【０１１６】
この場合、時間Ｔが２０．６秒となるため、所定時間Ｔ１（＝１０．６秒）以上となり、ステップＳ１０１５に進み、記録媒体Ｐを排紙する。
【０１１７】
以上説明したように、実施形態１によれば、主走査方向が記録媒体Ｐの記録面に記録する全画像領域の中で最も主走査方向の記録幅が短い画像領域の主走査方向の幅Ｘ１は、図６の場合、４インチとなる。
【０１１８】
一方、副走査方向が図６で示す画像領域Ａ〜Ｄ（画像領域Ｗ１）の記録に使用するインク吐出口の内、排紙側に最も近いインク吐出口から記録ヘッド４０２よりも排紙側に記録媒体Ｐの記録面に接しながら記録媒体Ｐを搬送するローラ（排紙ローラ４０４）までの幅（厳密には、排紙ローラ４０４と記録媒体の接面に対する法面と、最も近いインク吐出口間との最短距離）である２５６／１２００インチ×３回＝７６８／１２００インチから、記録に使用するインク吐出口の幅２５６／１２００インチを差し引いた幅Ｙ１は、５１２／１２００インチとなる。
【０１１９】
そして、この幅Ｘ１と幅Ｙ１で囲まれる画像領域Ｗ２は、画像領域Ａと画像領域Ｂの２つを合わせた画像領域と同じ大きさになる。
【０１２０】
これより、実施形態１の画像領域Ａと画像領域Ｂの２つを合わせた画像領域Ｗ２を完成させるのに要する時間Ｔ１は、
１走査目の往路の主走査にかかる０．２秒と、
１走査目の往路と２走査目の復路の主走査方向間の休止時間のＴ２＝１０秒と、
２走査目の復路の主走査にかかる０．２秒と、
３走査目の往路の主走査にかかる０．２秒を合計した１０．６秒となる。
【０１２１】
実施形態１における記録媒体Ｐの記録面に記録する画像領域が完成してから排紙ローラ４０４と接触する時間が、画像領域Ａ〜Ｃが４１．２秒経過後、画像領域Ｄが３１秒経過後となることから、画像領域Ａ〜Ｄの全ての画像領域が所定時間Ｔ１（＝１０．６秒）以上経過後に排紙ローラ４０４と接触することで、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０１２２】
また、実施形態１における画像領域よりも給紙側の領域に記録データがない領域に対しては、画像領域Ｄの完成から（１／３）×Ｔ１≒３．５秒以上の２０．６秒経過するまで、記録ヘッド４０２を走査する主走査は、図７より、８主走査〜１０主走査の３回の主走査を実施し、記録媒体Ｐを走査する副走査は、８主走査目と９主走査目の間で１回の副走査を実施することで、画像領域よりも給紙側の領域に記録データがない領域に対しても、ユーザに対して記録動作が終了していないことを促すことができる。これは、記録データがない領域に達した後、直ちに記録動作を終了してしまうと、ユーザが記録動作が終了したと判断して、記録媒体上の記録画像が十分浸透及び定着していない内に、その記録媒体をインクジェット記録装置から引き抜いてしまうことで、記録画像が劣化したり、排紙ローラが汚れてしまうことを防止するためである。
【０１２３】
さらには、画像領域Ｄを完成させた７主走査目と８主走査目の主走査間、９主走査目と１０主走査目の主走査間に休止時間を設けることで、画像領域Ｄの完成から（１／３）×Ｔ１≒３．５秒以上の２０．６秒を満足できる。また、排紙時においても、画像領域Ａ〜Ｄを完成させる記録動作と同じ記録動作を実施することで、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０１２４】
さらには、記録媒体Ｐの副走査方向への搬送精度が良い排紙ローラ４０４を用いることで、記録媒体Ｐ上の記録画像の画質を向上することができる。
【０１２５】
尚、実施形態１では、記録媒体Ｐの記録面に記録する画像領域の記録デューティーが全て１００％である場合を例に挙げて説明したが、これに限定されるものではなく、画像領域が１００％以下であっても、同様の記録動作を実施することで同様の効果を得ることができる。
【０１２６】
（実施形態２）
実施形態２では、第１及び第２記録モードの異なる記録モードを２種類備えている場合について説明を行う。
【０１２７】
尚、実施形態２では、実施形態１と同じ記録ヘッドを用いた場合を例に挙げて説明する。また、１００％の記録デューティーの定義については、実施形態１の図５と同様である。
【０１２８】
ここで、２種類の異なる記録モードである第１記録モード及び第２記録モードは、以下のように定義する。
【０１２９】
第１記録モードは、実施形態１と同様に、例えば、図６の各画像領域を完成させる主走査の回数が１回で、主走査の往路方向のみで記録する片方向記録で、主走査の往路方向と復路方向の主走査間のみ休止時間を設けた記録モードである。
【０１３０】
第２記録モードは、例えば、図６の各画像領域を完成させる主走査の回数が２回で、主走査の往路方向と復路方向で記録する双方向記録で、主走査の往路方向と復路方向の主走査間と復路方向と往路方向の主走査間に休止時間を設けた記録モードである。
【０１３１】
第１記録モードの記録動作は、実施形態１と同様であるため、実施形態２では、第１記録モードでの記録動作の説明は省略する。
【０１３２】
以下、第２記録モードの記録動作について、実施形態１の図４、図８、図９、図１１、図１３及び図１４を用いて説明する。
【０１３３】
まず、実施形態２の記録画像の一例について、図１１を用いて説明する。
【０１３４】
図１１は本発明の実施形態２の記録画像を示す図である。
【０１３５】
図１１では、例えば、記録媒体Ｐとして、そのサイズが、実施形態１と同様、４×６インチの光沢紙の例を示している。また、この記録媒体Ｐに記録する記録画像としては、各画像領域Ａ１〜Ｄ２は、記録デューティーが１００％の縦１２８／１２００インチ、横４インチのサイズの画像である。
【０１３６】
次に、本発明の実施形態２の記録動作について、図１２を用いて説明する。
【０１３７】
図１２は本発明の実施形態２の記録動作を示す図である。
【０１３８】
図１２では、図１１の画像を記録するときの記録ヘッド４０２と各走査での記録の関係を示している。
【０１３９】
図１２の上段において、１走査目で、記録ヘッド４０２の各インク吐出口からインク滴を吐出し、画像領域Ａ１−１を記録し、２走査目で、記録ヘッド４０２の各インク吐出口からインク滴を吐出し、画像領域Ａ１−１の上に、画像領域Ａ１−２を記録して、画像領域Ａ１を完成させる。
【０１４０】
同様に、２走査目で、記録ヘッド４０２の各インク吐出口からインク滴を吐出し、画像領域Ａ２−１を記録し、３走査目で、記録ヘッド４０２の各インク吐出口からインク滴を吐出し、画像領域Ａ２−１の上に、画像領域Ａ２−２を記録して、画像領域Ａ２を完成させる。
【０１４１】
同様に、３走査目で、記録ヘッド４０２の各インク吐出口からインク滴を吐出し、画像領域Ｂ１−１を記録し、４走査目で、記録ヘッド４０２の各インク吐出口からインク滴を吐出し、画像領域Ｂ１−１の上に、画像領域Ｂ１−２を記録して、画像領域Ｂ１を完成させる。
【０１４２】
同様に、４走査目で、記録ヘッド４０２の各インク吐出口からインク滴を吐出し、画像領域Ｂ２−１を記録し、５走査目で、記録ヘッド４０２の各インク吐出口からインク滴を吐出し、画像領域Ｂ２−１の上に、画像領域Ｂ２−２を記録して、画像領域Ｂ２を完成させる。
【０１４３】
同様に、５走査目で、記録ヘッド４０２の各インク吐出口からインク滴を吐出し、画像領域Ｃ１−１を記録し、６走査目で、記録ヘッド４０２の各インク吐出口からインク滴を吐出し、画像領域Ｃ１−１の上に、画像領域Ｃ１−２を記録して、画像領域Ｃ１を完成させる。
【０１４４】
同様に、６走査目で、記録ヘッド４０２の各インク吐出口からインク滴を吐出し、画像領域Ｃ２−１を記録し、７走査目で、記録ヘッド４０２の各インク吐出口からインク滴を吐出し、画像領域Ｃ２−１の上に、画像領域Ｃ２−２を記録して、画像領域Ｃ２を完成させる。
【０１４５】
同様に、７走査目で、記録ヘッド４０２の各インク吐出口からインク滴を吐出し、画像領域Ｄ１−１を記録し、８走査目で、記録ヘッド４０２の各インク吐出口からインク滴を吐出し、画像領域Ｄ１−１の上に、画像領域Ｄ１−２を記録して、画像領域Ｄ１を完成させる。
【０１４６】
同様に、８走査目で、記録ヘッド４０２の各インク吐出口からインク滴を吐出し、画像領域Ｄ２−１を記録し、９走査目で、記録ヘッド４０２の各インク吐出口からインク滴を吐出し、画像領域Ｄ２−１の上に、画像領域Ｄ２−２を記録して、画像領域Ｄ２を完成させる。
【０１４７】
ここで、図１１の各画像領域Ａ１〜Ｄ２の記録を完成させる２回の主走査が終了してから、その後の各主走査が終わるまでの各時間Ｔとして、Ｔａ１、Ｔａ２、Ｔｂ１、Ｔｂ２、Ｔｃ１、Ｔｃ２、Ｔｄ１、Ｔｄ２と定義する。
【０１４８】
図９は、図８の画像を完成させてから、排紙ローラ４０４を通過するまでの時間と排紙ローラ４０４の汚れ具合、及び汚れた排紙ローラ４０４から記録媒体Ｐの記録面への汚れの転写具合の関係を示した表である。
【０１４９】
実施形態２では、図９の表は、図８の画像を完成させてから、排紙ローラ４０４を通過するまでの時間を０．４秒、２．６秒、５．６秒、１０．６秒、２０．６秒と異ならせて、その時の排紙ローラ４０４及び記録媒体の記録面への汚れ具合を評価したものである。
【０１５０】
このときの０．４秒は、副走査方向への走査だけ繰り返して記録媒体Ｐの排紙を行う場合である。
【０１５１】
評価結果より、図８の画像の記録を完成させてから、排紙ローラ４０４を通過するまでの時間が１０．６秒以上であれば、排紙ローラ４０４及び記録媒体の記録面への汚れは発生しないことが解った。
【０１５２】
図１３は、記録モードに応じて設定された画像領域を完成させる走査間の休止時間を示す図である。
【０１５３】
第１記録モードでは、実施形態１と同じ記録動作を行い、画像領域を往路方向の１回の主走査で画像を完成させ、往路と復路の主走査間の反ホームポジションの位置で休止時間として、１０秒間記録を休止する。
【０１５４】
一方、第２記録モードでは、画像領域を往路方向と復路方向の２回の主走査で画像を完成させ、往路と復路の主走査間の反ホームポジションの位置と復路と往路の走査間のホームポジションの位置で休止時間として、２．４秒間記録を休止する。
【０１５５】
次に、実施形態２のインクジェット記録装置の記録動作について、図１４を用いて説明する。
【０１５６】
図１４は本発明の実施形態２のインクジェット記録装置の記録動作を説明するためのフローチャートである。
【０１５７】
尚、図１４では、図１１で示す画像領域Ａ１〜Ｄ２を記録する場合を例に挙げて説明する。
【０１５８】
まず、ステップＳ２８０１において、記録モードの種類を判定する。記録モードが第１記録モード１である場合、上述の実施形態１の図１０の記録動作を実行する。一方、記録モードが第２記録モードである場合、ステップＳ２８０２に進む。
【０１５９】
尚、記録モードの判定は、例えば、ホストコンピュータより受信する記録データに含まれる記録設定情報に基づいて行う。
【０１６０】
ステップＳ２８０２において、記録媒体Ｐの給紙を行う。ステップＳ２８０３において、記録媒体Ｐの１ページ内に記録対象の記録データの有無を判定する。記録データがない場合（ステップＳ２８０２でＮＯ）、ステップＳ２８１５に進む。一方、記録データがある場合（ステップＳ２８０２でＹＥＳ）、ステップＳ２８０４に進む。
【０１６１】
この場合、図１１で示す画像領域Ａ１−１を記録するため、ページ内に記録データがあると判定し、ステップＳ２８０４に進む。
【０１６２】
ステップＳ２８０４において、主走査方向に記録する記録データを読み込む。この場合、画像領域Ａ１−１に対応する記録データを読み込む。
【０１６３】
ステップＳ２８０５において、往路の主走査方向へ記録ヘッドを移動しながら記録を行う。図１２の場合、１走査目で、往路の主走査方向へ記録ヘッド４０２を移動しながら、画像領域Ａ１−１の記録を行う。
【０１６４】
ステップＳ２８０６において、新たに記録が完成した画像領域の有無を判定する。記録が完成した画像領域がある場合（ステップＳ２８０６でＹＥＳ）、ステップＳ２８０７に進む。一方、新たに記録が完成した画像領域がない場合（ステップＳ２８０６でＮＯ）、ステップＳ２８０８に進む。
【０１６５】
この場合、画像領域Ａ１−１までが記録されているだけで、画像領域Ａ１の記録は完成していないため、新たに記録が完成した画像領域がないと判定し、ステップＳ２８０８に進む。
【０１６６】
ステップＳ２８０８において、休止時間として、反ホームポジションで所定時間Ｔ２（この場合、２．４秒間）記録を休止する。
【０１６７】
ステップＳ２８０９において、紙送りローラ４０３と排紙ローラ４０４によって、記録媒体Ｐを副走査方向へ所定量（この場合、１２８／１２００インチ）搬送（記録媒体の搬送１）する。
【０１６８】
ステップＳ２８１０において、ページ内に記録対象の記録データの有無を判定する。記録データがない場合（ステップＳ２８１０でＮＯ）、ステップＳ２８１１に進む。一方、記録データがある場合（ステップＳ２８１０でＹＥＳ）、ステップＳ２８０４に戻る。
【０１６９】
この場合、図１１で示す画像領域Ａ１−２とＡ２−１を記録するため、ページ内に記録対象のデータがあると判定し、ステップＳ２８０４に戻る。
【０１７０】
画像領域Ａ１−２とＡ２−１に対する記録動作としては、ステップＳ２８０４において、画像領域Ａ１−２とＡ２−１に対応する記録データを読み込む。ステップＳ２８０５において、図１２の２走査目で、復路の主走査方向へ記録ヘッド４０２を移動しながら、画像領域Ａ１−２とＡ２−１の記録を行う。これにより、画像領域Ａ１の記録が完成する。
【０１７１】
次に、ステップＳ２８０６の判定では、画像領域Ａ１の記録が完成したため、記録が完成した画像領域があると判定し、ステップＳ２８０７に進む。
【０１７２】
ステップＳ２８０７において、画像領域Ａ１を完成させる２回の記録が終了してからの時間Ｔの計測を開始する。ステップＳ２８０８において、休止時間として、ホームポジションｈで所定時間Ｔ２＝２．４秒間記録を休止する。ステップＳ２８０９において、紙送りローラ４０３と排紙ローラ４０４によって、記録媒体Ｐを副走査方向へ所定量（この場合、１２８／１２００インチ）搬送する。
【０１７３】
ステップＳ２８１０の判定では、図１１で示す画像領域Ａ２−２とＢ１−１を記録するため、ページ内に記録対象の記録データがあると判定し、ステップＳ２８０４に戻る。
【０１７４】
画像領域Ａ２−２とＢ１−１に対する記録動作としては、ステップＳ２８０４において、画像領域Ａ２−２とＢ１−１に対応する記録データを読み込む。ステップＳ２８０５において、図１２の３走査目で、往路の主走査方向へ記録ヘッド４０２を移動しながら、画像領域Ａ２−２とＢ１−１の記録を行う。これにより、画像領域Ａ２の記録が完成する。
【０１７５】
次に、ステップＳ２８０６の判定では、画像領域Ａ２の記録が完成したため、記録が完成した画像領域があると判定し、ステップＳ２８０７に進む。
【０１７６】
ステップＳ２８０７において、時間Ｔの値は上書きし、画像領域Ａ２を完成させる２回の記録が終了してからの時間Ｔの計測を開始する。
【０１７７】
また、この時点で画像領域Ａ１が完成した時点からの時間Ｔａ１は、
２走査目の復路を記録し終わった後のホームポジションｈ側での休止時間のＴ２＝２．４秒と、３走査目の往路の主走査にかかる０．２秒を合計した２．６秒となる。
【０１７８】
次に、ステップＳ２８０８において、休止時間として、反ホームポジションで所定時間Ｔ２＝２．４秒間記録を休止する。ステップＳ２８０９において、紙送りローラ４０３と排紙ローラ４０４によって、記録媒体Ｐを副走査方向へ所定量（この場合、１２８／１２００インチ）搬送する。
【０１７９】
以下、同様にして、ステップＳ２８０４〜ステップＳ２８１０の処理において、画像領域Ｂ２−１とＢ１−２に対する記録動作を実行する。この画像領域Ｂ２−１とＢ１−２に対する記録動作によって、画像領域Ｂ１の記録が完成し、ステップＳ２８０７において、時間Ｔを上書きし、画像領域Ｂ１を完成させる２回の記録が終了してからの時間Ｔの計測を再度開始する。
【０１８０】
また、この時点で画像領域Ａ１が完成した時点からの時間Ｔａ１は、
２走査目の復路を記録し終わった後のホームポジションｈ側での休止時間のＴ２＝２．４秒と、
３走査目の往路を記録し終わった後の反ホームポジション側での休止時間のＴ２＝２．４秒と、
３走査目の往路の主走査にかかる０．２秒と、
４走査目の復路の主走査にかかる０．２秒を合計した５．２秒となる。
【０１８１】
また、この時点で画像領域Ａ２が完成した時点からの時間Ｔａ２は、
３走査目の往路を記録し終わった後の反ホームポジション側での休止時間のＴ２＝２．４秒と、
４走査目の復路の主走査にかかる０．２秒を合計した２．６秒となる。
【０１８２】
次に、ステップＳ２８０４〜ステップＳ２８１０の処理において、画像領域Ｃ１−１とＢ２−２に対する記録動作を実行する。この画像領域Ｃ１−１とＢ２−２に対する記録動作によって、画像領域Ｂ２の記録が完成し、ステップＳ２８０７において、時間Ｔを上書きし、画像領域Ｂ２を完成させる２回の記録が終了してからの時間Ｔの計測を再度開始する。
【０１８３】
また、この時点で画像領域Ａ１が完成した時点からの時間Ｔａ１は、
２走査目の復路を記録し終わった後のホームポジションｈ側での休止時間のＴ２＝２．４秒と、
３走査目の往路を記録し終わった後の反ホームポジション側での休止時間のＴ２＝２．４秒と、
４走査目の復路を記録し終わった後のホームポジションｈ側での休止時間のＴ２＝２．４秒と、
３走査目の往路の主走査にかかる０．２秒と、
４走査目の復路の主走査にかかる０．２秒と、
５走査目の往路の主走査にかかる０．２秒を合計した７．８秒となる。
【０１８４】
また、この時点で画像領域Ａ２が完成した時点からの時間Ｔａ２は、
３走査目の往路を記録し終わった後の反ホームポジション側での休止時間のＴ２＝２．４秒と、
４走査目の復路を記録し終わった後のホームポジションｈ側での休止時間のＴ２＝２．４秒と、
４走査目の復路の主走査にかかる０．２秒と
５走査目の往路の主走査にかかる０．２秒を合計した５．２秒となる。
【０１８５】
また、この時点で画像領域Ｂ１が完成した時点からの時間Ｔｂ１は、
４走査目の復路を記録し終わった後のホームポジションｈ側での休止時間のＴ２＝２．４秒と、
５走査目の往路の主走査にかかる０．２秒を合計した２．６秒となる。
【０１８６】
以下、同様に、残りの画像領域Ｃ１、Ｃ２、Ｄ１、Ｄ２の記録を完成させるまで、ステップＳ２８０４〜ステップＳ２８１０を繰り返す。
【０１８７】
そして、画像領域Ａ１が完成した時点から画像領域Ａ１が排紙ローラ４０４を通過するまでの時間Ｔａ１は、画像領域Ａ１が完成した時点から６走査目の復路の主走査を記録し終えた時点までの時間１０．４秒と、６走査目の復路を記録し終わった後のホームポジションｈ側での休止時間のＴ２＝２．４秒を合計した１２．８秒となる。
【０１８８】
同様に、画像領域Ａ２が完成した時点から画像領域Ａ２が排紙ローラ４０４を通過するまでの時間Ｔａ２は、画像領域Ａ２が完成した時点から７走査目の往路の主走査を記録し終えた時点までの時間１０．４秒と、７走査目の往路を記録し終わった後の反ホームポジション側での休止時間のＴ２＝２．４秒を合計した１２．８秒となる。
【０１８９】
同様に、画像領域Ｂ１が完成した時点から画像領域Ｂ１が排紙ローラ４０４を通過するまでの時間Ｔｂ１は、画像領域Ｂ１が完成した時点から８走査目の復路の主走査を記録し終えた時点までの時間１０．４秒と、８走査目の復路を記録し終わった後のホームポジションｈ側での休止時間のＴ２＝２．４秒を合計した１２．８秒となる。
【０１９０】
同様に、画像領域Ｂ２が完成した時点から画像領域Ｂ２が排紙ローラ４０４を通過するまでの時間Ｔｂ２は、画像領域Ｂ２が完成した時点から９走査目の往路の主走査を記録し終えた時点までの時間１０．４秒と、９走査目の往路を記録し終わった後の反ホームポジション側での休止時間のＴ２＝２．４秒を合計した１２．８秒となる。
【０１９１】
画像領域Ｄ２の記録が完成すると、ステップＳ２８１０の判定では、画像領域Ｄ２より排紙側には記録対象の画像領域がないため、ページ内に記録対象の記録データがないと判定し、ステップＳ２８１１に進む。
【０１９２】
ステップＳ２８１１において、画像領域Ｃ１が完成した時点からの時間Ｔが所定時間Ｔ１（この場合、１０．６秒）以上であるか否かを判定する。所定時間Ｔ１以上である場合（ステップＳ２８１１でＹＥＳ）、ステップＳ２８１５に進む。一方、所定時間Ｔ１未満である場合（ステップＳ２８１１でＮＯ）、ステップＳ２８１２に進む。
【０１９３】
この場合、画像領域Ｃ１が完成した時点からの時間Ｔｃ１が１０．２秒であるため、所定時間Ｔ１（＝１０．６秒）未満となり、ステップＳ２８１２に進む。
【０１９４】
尚、この時点で、画像領域Ｃ２が完成した時点からの時間Ｔｃ２は、７．６秒である。また、この時点で、画像領域Ｄ１が完成した時点からの時間Ｔｄ１は、５．０秒である。また、この時点で、画像領域Ｄ２が完成した時点からの時間Ｔｄ２は、２．４秒である。
【０１９５】
ステップＳ２８１２において、休止時間として、反ホームポジションで所定時間Ｔ３（この場合、２．７秒間）記録を休止する。
【０１９６】
ステップＳ２８１３において、画像領域Ｃ１が完成した時点からの時間Ｔが所定時間Ｔ１（＝１０．６秒）以上であるか否かを判定する。所定時間Ｔ１以上である場合（ステップＳ２８１３でＹＥＳ）、ステップＳ２８１４に進む。一方、所定時間Ｔ１未満である場合（ステップＳ２８１３でＮＯ）、ステップＳ２８１２に戻る。
【０１９７】
この時点で、画像領域Ｃ１が完成した時点からの時間Ｔｃ１は、上記１０．２秒と、ホームポジションｈ側での休止時間のＴ３＝２．７秒を合計した１２．９秒が計測され、所定時間Ｔ１（＝１０．６秒）以上であると判定する。
【０１９８】
また、この時点で、画像領域Ｃ２が完成した時点からの時間Ｔｃ２は、上記７．６秒と、ホームポジションｈ側での休止時間のＴ３＝２．７秒を合計した１０．３秒となる。
【０１９９】
また、この時点で、画像領域Ｄ１が完成した時点からの時間Ｔｄ１は、上記５．０秒と、ホームポジションｈ側での休止時間のＴ３＝２．７秒を合計した７．７秒となる。
【０２００】
また、この時点で、画像領域Ｄ２が完成した時点からの時間Ｔｄ２は、上記２．４秒と、ホームポジションｈ側での休止時間のＴ３＝２．７秒を合計した５．１秒となる。
【０２０１】
ステップＳ２８１４において、紙送りローラ４０３と排紙ローラ４０４によって、記録媒体Ｐを副走査方向へ所定量（この場合、１００／１２００インチ）搬送（記録媒体の搬送２）する。
【０２０２】
再度、ステップＳ２８１１において、画像領域Ｃ２が完成した時点からの時間Ｔが所定時間Ｔ１（＝１０．６秒）以上であるか否かを判定する。
【０２０３】
この時点では、画像領域Ｃ２が完成した時点からの時間Ｔｃ２＝１０．３秒であるため、所定時間Ｔ１（＝１０．６秒）未満となり、ステップＳ２８１２に進む。
【０２０４】
ステップＳ２８１２において、休止時間として、ホームポジションｈで所定時間Ｔ３＝２．７秒間記録を休止する。
【０２０５】
ステップＳ２８１３において、画像領域Ｃ２が完成した時点からの時間Ｔが所定時間Ｔ１（＝１０．６秒）以上であるか否かを判定する。
【０２０６】
この時点で、画像領域Ｃ２が完成した時点からの時間Ｔｃ２は、上記１０．３秒と、ホームポジションｈ側での休止時間のＴ３＝２．７秒を合計した１３．０秒が計測され、所定時間Ｔ１（＝１０．６秒）以上であると判定する。
【０２０７】
また、この時点で、画像領域Ｄ１が完成した時点からの時間Ｔｄ１は、上記７．７秒と、ホームポジションｈ側での休止時間のＴ３＝２．７秒を合計した１０．４秒となる。
【０２０８】
また、この時点で、画像領域Ｄ２が完成した時点からの時間Ｔｄ２は、上記５．１秒と、ホームポジションｈ側での休止時間のＴ３＝２．７秒を合計した７．８秒となる。
【０２０９】
ステップＳ２８１４において、紙送りローラ４０３と排紙ローラ４０４によって、記録媒体Ｐを副走査方向へ所定量（この場合、１００／１２００インチ）搬送（記録媒体の搬送３）する。
【０２１０】
再度、ステップＳ２８１１において、画像領域Ｄ１が完成した時点からの時間Ｔが所定時間Ｔ１（＝１０．６秒）以上であるか否かを判定する。
【０２１１】
この時点では、画像領域Ｄ１が完成した時点からの時間Ｔｄ１＝１０．４秒であるため、所定時間Ｔ（＝１０．６秒）未満となり、ステップＳ２８１２に進む。
【０２１２】
ステップＳ２８１２において、休止時間として、ホームポジションｈで所定時間Ｔ３＝２．７秒間記録を休止する。
【０２１３】
ステップＳ２８１３において、画像領域Ｄ１が完成した時点からの時間Ｔが所定時間Ｔ１（＝１０．６秒）以上であるか否かを判定する。
【０２１４】
この時点で、画像領域Ｄ１が完成した時点からの時間Ｔｄ１は、上記１０．４秒と、ホームポジションｈ側での休止時間のＴ３＝２．７秒を合計した１３．１秒が計測され、所定時間Ｔ１（＝１０．６秒）以上であると判定する。
【０２１５】
また、この時点で、画像領域Ｄ２が完成した時点からの時間Ｔｄ２は、上記７．８秒と、ホームポジションｈ側での休止時間のＴ３＝２．７秒を合計した１０．５秒となる。
【０２１６】
ステップＳ２８１４において、紙送りローラ４０３と排紙ローラ４０４によって、記録媒体Ｐを副走査方向へ所定量（この場合、１００／１２００インチ）搬送（記録媒体の搬送４）する。
【０２１７】
再度、ステップＳ２８１１において、画像領域Ｄ２が完成した時点からの時間Ｔが所定時間Ｔ１（＝１０．６秒）以上であるか否かを判定する。
【０２１８】
この時点では、画像領域Ｄ２が完成した時点からの時間Ｔｄ２＝１０．５秒であるためは、所定時間Ｔ１（＝１０．６秒）未満となり、ステップＳ２８１２に進む。
【０２１９】
ステップＳ２８１２において、休止時間として、反ホームポジションで所定時間Ｔ３＝２．７秒間記録を休止する。
【０２２０】
ステップＳ２８１３において、画像領域Ｄ２が完成した時点からの時間Ｔが所定時間Ｔ１（＝１０．６秒）以上であるか否かを判定する。
【０２２１】
この時点で、画像領域Ｄ２が完成した時点からの時間Ｔｄ２は、上記１０．５秒と、反ホームポジション側での休止時間のＴ３＝２．７秒を合計した１３．２秒が計測され、所定時間Ｔ１（＝１０．６秒）以上であると判定する。
【０２２２】
ステップＳ２８１４において、紙送りローラ４０３と排紙ローラ４０４によって、記録媒体Ｐを副走査方向へ所定量（この場合、１００／１２００インチ）搬送（記録媒体の搬送５）する。
【０２２３】
再度、ステップＳ２８１１において、画像領域Ｄ２が完成した時点からの時間ＴがＴ１（＝１０．６秒）以上であるか否かを判定する。
【０２２４】
この時点では、画像領域Ｄ２が完成した時点からの時間Ｔｄ２＝１３．２秒であるため、所定時間Ｔ１（＝１０．６秒）以上となり、ステップＳ２８１５に進み、記録媒体Ｐを排紙する。
【０２２５】
以上説明したように、実施形態２によれば、第２記録モードにおいて、主走査方向が記録媒体Ｐの記録面に記録する全画像領域の中で最も主走査方向の記録幅が短い画像領域の主走査方向の幅Ｘ１は、図１１の場合、４インチとなる。
【０２２６】
一方、副走査方向が図１１で示す画像領域Ａ１〜Ｄ２（画像領域Ｗ１）の記録に使用するインク吐出口の内、排紙側に最も近いインク吐出口から記録ヘッド４０２よりも排紙側に記録媒体Ｐの記録面に接しながら記録媒体Ｐを搬送するローラ（補助ローラ４０４）までの幅である１２８／１２００インチ×６回＝７６８／１２００インチから、記録に使用するインク吐出口の幅２５６／１２００インチを差し引いた幅Ｙ１は、５１２／１２００インチとなる。
【０２２７】
そして、この幅Ｘ１と幅Ｙ１で囲まれる画像領域Ｗ２は、画像領域Ａ１と画像領域Ａ２と画像領域Ｂ１と画像領域Ｂ２の４つを合わせた画像領域と同じ大きさになる。
【０２２８】
これより、実施形態２の画像領域Ａ１と画像領域Ａ２と画像領域Ｂ１と画像領域Ｂ２の４つを合わせた画像領域を完成させるのに要する時間Ｔ１は、
１走査目の往路の主走査にかかる０．２秒と、
１走査目の往路と２走査目の復路の主走査方向間の休止時間のＴ２＝２．４秒と、
２走査目の復路の主走査にかかる０．２秒と、
２走査目の復路と３走査目の往路の主走査方向間の休止時間のＴ２＝２．４秒と、
３走査目の往路の主走査にかかる０．２秒と、
３走査目の往路と４走査目の復路の主走査方向間の休止時間のＴ２＝２．４秒と、
４走査目の復路の主走査にかかる０．２秒と、
４走査目の復路と５走査目の往路の主走査方向間の休止時間のＴ２＝２．４秒と、
５走査目の往路の主走査にかかる０．２秒とを合計した１０．６秒となる。
【０２２９】
実施形態２における記録媒体Ｐの記録面に記録する画像領域が完成してから排紙ローラ４０４と接触する時間が、画像領域Ａ１〜Ｂ２が１２．８秒経過後、画像領域Ｃ１が１２．９秒経過後、画像領域Ｃ２が１３．０秒経過後、画像領域Ｄ１が１３．１秒経過後、画像領域Ｄ２が１３．２秒経過後となることから、画像領域Ａ１〜Ｄ２の全ての画像領域が所定時間Ｔ１（＝１０．６秒）以上経過後に排紙ローラ４０４と接触することで、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができた。
【０２３０】
また、実施形態２における画像領域よりも給紙側の領域に記録データが無い領域に対しては、画像領域Ｄ２の完成から（１／３）×Ｔ１≒３．５秒以上の約１３．２秒経過するまで、記録媒体Ｐを走査する副走査として、図１２の記録媒体の搬送１〜記録媒体の搬送５の５回の副走査を実施することで、画像領域よりも給紙側の領域に記録データがない領域に対しても、ユーザに対して記録動作が終了していないことを促すことができる。これは、記録データがない領域に達した後、直ちに記録動作を終了してしまうと、ユーザが記録動作が終了したと判断して、記録媒体上の記録画像が十分浸透及び定着していない内に、その記録媒体をインクジェット記録装置から引き抜いてしまうことで、記録画像が劣化したり、排紙ローラが汚れてしまうことを防止するためである。
【０２３１】
さらには、画像領域Ｄ２を完成させた９主走査目の主走査と記録媒体の搬送１の副走査の走査間、記録媒体の搬送１と記録媒体の搬送２の副走査間、記録媒体の搬送２と記録媒体の搬送３の副走査間、記録媒体の搬送３と記録媒体の搬送４の副走査間、記録媒体の搬送４と記録媒体の搬送５の副走査間に休止時間を設けることで、画像領域Ｄ２の完成から（１／３）×Ｔ１≒３．５秒以上の１３．２秒を満足できる。また、排紙時においても、このように記録媒体Ｐを走査する副走査の動作を繰り返し実施することで、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０２３２】
さらには、記録媒体Ｐの副走査方向への搬送精度が良い排紙ローラ４０４を用いることで、記録媒体Ｐ上の記録画像の画質を向上することができる。
【０２３３】
尚、実施形態２では、画像領域を往路方向と復路方向の２回の主走査で画像を完成させる第２記録モードと、実施形態１で説明した画像領域を往路方向の１回の主走査で画像を完成させる第１記録モードの２種類の画像を完成させる走査回数の異なる記録モードについて説明したが、これに限定されるものではなく、主走査方向の走査速度の異なる記録モードや、副走査方向の走査速度の異なる記録モード等の異なる複数種類の記録モードに対して、同様の制御を実施することで同様の効果を得ることができる。
【０２３４】
また、実施形態２では、記録媒体Ｐの記録面に記録する画像領域の記録デューティーが全て１００％である場合を例に挙げて説明したが、これに限定されるものではなく、画像領域が１００％以下であっても、同様の制御を実施することで同様の効果を得ることができる。
【０２３５】
（実施形態３）
実施形態３では、実施形態１の画像領域Ａ〜Ｄの記録デューティーが異なる場合について説明を行う。
【０２３６】
尚、実施形態３では、実施形態１と同じ記録ヘッド４０２を用いた場合を例に挙げて説明する。
【０２３７】
実施形態３では、例えば、図１５の各画像領域を往路の主走査方向で完成させ、往路と復路の主走査の間に休止時間を設ける片方向記録の場合について、図７、図８、図９、図１０、図１５、図１９、図２０及び図２１を用いて説明する。
【０２３８】
まず、実施形態３の記録画像の一例について、図１５を用いて説明する。
【０２３９】
図１５は本発明の実施形態３の記録画像を示す図である。
【０２４０】
図１５では、例えば、記録媒体Ｐとして、そのサイズが４×６インチの光沢紙の例を示している。また、この記録媒体Ｐに記録する記録画像としては、画像領域Ａの記録デューティーが３０％、Ｂの記録デューティーが２０％、Ｃの記録デューティーが５０％、Ｄの記録デューティーが７０％の縦２５６／１２００インチ、横４インチのサイズの画像である。
【０２４１】
図１６は、記録デューティーが７５％で、サイズが２５６／１２００インチ四方のパッチを示す図である。
【０２４２】
図１７は、図１６の画像を完成させてから、排紙ローラ４０４を通過するまでの時間と排紙ローラ４０４の汚れ具合、及び汚れた排紙ローラ４０４から記録媒体Ｐの記録面への汚れの転写具合の関係を示した表である。
【０２４３】
図１７の表は、図１２の画像を完成させてから、排紙ローラ４０４を通過するまでの時間を０．４秒、３．６秒、７．６秒、１０．６秒、１３．６秒と異ならせて、その時の排紙ローラ４０４及び記録媒体Ｐの記録面への汚れ具合を評価したものである。
【０２４４】
このときの０．４秒は、副走査方向への走査だけ繰り返して記録媒体Ｐの排紙を行う場合である。
【０２４５】
評価結果より、図１６の画像の記録を完成させてから、排紙ローラ４０４を通過するまでの時間が７．６秒以上であれば、排紙ローラ４０４及び記録媒体Ｐの記録面への汚れは発生しないことが解った。
【０２４６】
また、図１８は、記録デューティーが５０％で、サイズが２５６／１２００インチ四方のパッチを示す図である。
【０２４７】
図１９は、図１８の画像を完成させてから、排紙ローラ４０４を通過するまでの時間と排紙ローラ４０４の汚れ具合、及び汚れた排紙ローラ４０４から記録媒体Ｐの記録面への汚れの転写具合の関係を示した表である。
【０２４８】
図１９の表は、図１８の画像を完成させてから、排紙ローラ４０４を通過するまでの時間を０．４秒、３．６秒、７．６秒、１０．６秒、１３．６秒と異ならせて、その時の排紙ローラ４０４及び記録媒体Ｐの記録面への汚れ具合を評価したものである。
【０２４９】
このときの０．４秒は、副走査方向への走査だけ繰り返して記録媒体の排紙を行う場合である。
【０２５０】
評価結果より、図１８の画像の記録を完成させてから、排紙ローラ４０４を通過するまでの時間が３．６秒以上であれば、排紙ローラ４０４及び記録媒体Ｐの記録面への汚れは発生しないことが解った。
【０２５１】
図２０は、（２５６ｄｏｔ／１２００ｄｐｉ）×（２５６ｄｏｔ／１２００ｄｐｉ）内のドット数に応じたドットカウントレベルの区分けを示す表である。
【０２５２】
ドットカウントレベルは０〜２の３つに区分けしている。
【０２５３】
ドットカウントレベル０は、（２５６ｄｏｔ／１２００ｄｐｉ）×（２５６ｄｏｔ／１２００ｄｐｉ）内の記録デューティーが５０％以下である。
【０２５４】
ドットカウントレベル１は、（２５６ｄｏｔ／１２００ｄｐｉ）×（２５６ｄｏｔ／１２００ｄｐｉ）内の記録デューティーが５０％以上７５％未満である。
【０２５５】
ドットカウントレベル２は、（２５６ｄｏｔ／１２００ｄｐｉ）×（２５６ｄｏｔ／１２００ｄｐｉ）内の記録デューティーが７５％以上である。
【０２５６】
図２１は、図２０で設定したドットカウントレベルと画像の記録を完成させてから排紙ローラ４０４を通過するまでの時間の関係を示す表である。ここで、記録を完成させてから排紙ローラ４０４を通過するまでの時間は、図１７及び図１９の結果から設定している。
【０２５７】
図２２は、４×６インチの記録媒体の全領域に対して、（２５６ｄｏｔ／１２００ｄｐｉ）×（２５６ｄｏｔ／１２００ｄｐｉ）サイズのＷｉｎｄｏｗ１８１内の記録ドット数をカウントするＷｉｎｄｏｗの移動位置を示す図である。
【０２５８】
まず、（１）の位置からＸ方向へ１画素／１２００ｄｐｉづつ移動する。
【０２５９】
次に、（２）の位置まで移動を終了すると、（１）の位置を−Ｙ方向へ１画素／１２００ｄｐｉずらした位置からＸ方向へ１画素／１２００ｄｐｉづつ移動する。
【０２６０】
同様に、縦に１画素／１２００ｄｐｉ、横１画素／１２００ｄｐｉづつすらして移動し、（３）の位置で移動は終了となる。
【０２６１】
次に、実施形態３のインクジェット記録装置の記録動作について、図２３を用いて説明する。
【０２６２】
図２３は本発明の実施形態３のインクジェット記録装置の記録動作を示すフローチャートである。
【０２６３】
尚、図２３では、インクジェット記録装置とそれに記録データを供給するホストコンピュータ間における記録動作について説明する。特に、ステップＳ１９０１〜ステップＳ１９０８の処理がホストコンピュータ側、ステップＳ１９０９及びステップＳ１９１０の処理がインクジェット記録装置側の処理である。
【０２６４】
ステップＳ１９０１において、ホストコンピュータ内のプリンタドライバで多値の入力画像データを２値に量子化する。ここでは、例えば、１画素／１２００ｄｐｉ当たり８ｂｉｔの多値の入力画像データを２値に量子化する。
【０２６５】
ステップＳ１９０２において、処理対象の画像データのＷｉｎｄｏｗＳｉｚｅ内のドット数をカウントする。
【０２６６】
ここでは、まず、図１５の画像の記録デューティーが３０％の画像領域Ａに対応する量子化画像データに対して、図２２の（１）の位置のＷｉｎｄｏｗＳｉｚｅ内のドット数をカウントする。
【０２６７】
ステップＳ１９０３において、カウント値（ドット数）とドットカウントレベルを設定する。この場合、カウント値は、記録デューティーが３０％の場合であるため、図２０の表から、ドットカウントレベルを０に設定する。
【０２６８】
ステップＳ１９０４において、ホストコンピュータのメモリにドットカウントレベルを記憶する。この場合、ドットカウントレベルとして０を記憶する。
【０２６９】
ステップＳ１９０５において、Ｗｉｎｄｏｗ（例えば、図１８のＷｉｎｄｏｗ１８１）が移動可能であるか否かを判定する。一方、移動可能でない場合（ステップＳ１９０６でＮＯ）、ステップＳ１９０７に進む。移動可能である場合（ステップＳ１９０５でＹＥＳ）、ステップＳ１９０６に進み、Ｗｉｎｄｏｗを縦または横１画素分移動する。
【０２７０】
図１８の例の場合、（１）の位置からＷｉｎｄｏｗ１８１の移動可能であるを判定し、ステップＳ１９０６において、Ｗｉｎｄｏｗ１８１を（１）の位置からＸ方向へ１画素／１２００ｄｐｉ移動する。そして、Ｗｉｎｄｏｗ１８１が（３）の位置で移動を終了するまで、ステップＳ１９０２からステップＳ１９０６を繰り返す。その後、Ｗｉｎｄｏｗ１８１が（３）の位置に達した時点で、移動可能でないと判定し、ステップＳ１９０７に進む。
【０２７１】
ステップＳ１９０７において、ホストコンピュータのメモリに記憶している、ＷｉｎｄｏｗＳｉｚｅ毎のドットカウントレベルを比較する。
【０２７２】
この場合、図１５の画像領域Ｄのドット数（記録デューティーが７０％）によって設定されたドットカウントレベル＝１が、最大のドットカウントレベルとなる。
【０２７３】
ステップＳ１９０８において、比較したドットカウントレベルから、最大のドットカウントレベル（この場合、「１」）をインクジェット記録装置本体に送信する。
【０２７４】
ステップＳ１９０９において、インクジェット記録装置は、ホストコンピュータから最大のドットカウントレベル（この場合、「１」）を受信する。
【０２７５】
ステップＳ１９１０において、受信した最大のドットカウントレベルに基づいて、休止時間を設定する。
【０２７６】
この場合、最大のドットカウントレベル＝１であるため、図２１の表から記録を完成させてから排紙ローラ４０４を通過するまでの時間が７．６秒となるように、休止時間を７秒に設定する。
【０２７７】
その後のインクジェット記録装置の記録動作について、図１０を参照して説明する。
【０２７８】
まず、ステップＳ１００１において、記録媒体Ｐの給紙を行う。ステップＳ１００２において、図１５で示す画像領域Ａを記録するため、ページ内に記録対象の記録データがあると判定し、ステップＳ１００３に進む。ステップＳ１００３において、画像領域Ａに対応する記録データを読み込む。
【０２７９】
ステップＳ１００４において、図１５の１走査目で、往路の主走査方向へ記録ヘッド４０２を移動しながら、画像領域Ａの記録を行う。ステップＳ１００５において、記録が終了してからの時間Ｔの計測を開始する。ステップＳ１００６において、休止時間として、反ホームポジションで所定時間Ｔ２（この場合、７秒間）記録を休止する。
【０２８０】
ステップＳ１００７において、休止後に、図７の２走査目で、復路の主走査方向へ記録ヘッド４０２を移動する。ステップＳ１００８において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【０２８１】
ここまでに、時間Ｔは、１走査目の往路と２走査目の復路の主走査方向間の休止時間のＴ２＝７秒と、２走査目の復路の主走査にかかる０．２秒を合計した７．２秒が計測されている。
【０２８２】
次に、ステップＳ１００９の判定では、図１５の画像領域Ｂを記録するため、ページ内に記録対象の記録データがあると判定し、ステップＳ１００３に戻る。
【０２８３】
画像領域Ｂに対する記録動作としては、ステップＳ１００３において、画像領域Ｂに対応する記録データを読み込む。ステップＳ１００４において、図７の３走査目で、往路の主走査方向へ記録ヘッド４０２を移動しながら、画像領域Ｂの記録を行う。次に、ステップＳ１００５において、時間Ｔの値を上書きし、３走査目の記録が終了してからの時間Ｔの計測を再度開始する。
【０２８４】
ステップＳ１００６において、休止時間として、反ホームポジションで所定時間Ｔ２＝７秒間記録を休止する。ステップＳ１００７において、休止後に、図７の４走査目で復路の主走査方向へ記録ヘッド４０２を移動する。ステップＳ１００８において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【０２８５】
ここまでに、時間Ｔは、３走査目の往路と４走査目の復路の主走査方向間の休止時間のＴ２＝７秒と、４走査目の復路の主走査にかかる０．２秒を合計した７．２秒が計測されている。
【０２８６】
また、この時点で画像領域Ａが完成した時点からの時間Ｔａは、
１走査目の往路と２走査目の復路の主走査方向間の休止時間のＴ２＝７秒と、
３走査目の往路と４走査目の復路の主走査方向間の休止時間のＴ２＝７秒と、
２走査目の復路の主走査にかかる０．２秒と
３走査目の往路の主走査にかかる０．２秒と
４走査目の復路の主走査にかかる０．２秒を合計した１４．６秒となる。
【０２８７】
次に、ステップＳ１００９の判定では、図１５で示す画像領域Ｃを記録するため、ページ内に記録対象の記録データがあると判定し、ステップＳ１００３に戻る。
【０２８８】
画像領域Ｃに対する記録動作としては、ステップＳ１００３において、画像領域Ｃに対応する記録データを読み込む。ステップＳ１００４において、図７の５走査目で、往路の主走査方向へ記録ヘッド４０２を移動しながら、画像領域Ｃの記録を行う。次に、ステップＳ１００５において、時間Ｔを上書きし、５走査目の記録が終了してからの時間Ｔの計測を再度開始する。
【０２８９】
ステップＳ１００６において、休止時間として、反ホームポジションで所定時間Ｔ２＝７秒間記録を休止する。ステップＳ１００７において、休止後に、図７の６走査目で、復路の主走査方向へ記録ヘッド４０２を移動する。ステップＳ１００８において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【０２９０】
ここまでに、時間Ｔは、５走査目の往路と６走査目の復路の主走査方向間の休止時間のＴ２＝７秒と、６走査目の復路の主走査にかかる０．２秒を合計した７．２秒が計測されている。
【０２９１】
また、この時点で画像領域Ａが完成した時点からの時間Ｔａは、
１走査目の往路と２走査目の復路の主走査方向間の休止時間のＴ２＝７秒と、
３走査目の往路と４走査目の復路の主走査方向間の休止時間のＴ２＝７秒と、
５走査目の往路と６走査目の復路の主走査方向間の休止時間のＴ２＝７秒と、
２走査目の復路の主走査にかかる０．２秒と、
３走査目の往路の主走査にかかる０．２秒と、
４走査目の復路の主走査にかかる０．２秒と、
５走査目の往路の主走査にかかる０．２秒と、
６走査目の復路の主走査にかかる０．２秒を合計した２２秒となる。
【０２９２】
また、この時点で画像領域Ｂが完成した時点からの時間Ｔｂは、
３走査目の往路と４走査目の復路の主走査方向間の休止時間のＴ２＝７秒と、
５走査目の往路と６走査目の復路の主走査方向間の休止時間のＴ２＝７秒と、
４走査目の復路の主走査にかかる０．２秒と
５走査目の往路の主走査にかかる０．２秒と
６走査目の復路の主走査にかかる０．２秒を合計した１４．６秒となる。
【０２９３】
次に、ステップＳ１００９の判定では、図１５で示す画像領域Ｄを記録するため、ページ内に記録対象の記録データがあると判定し、ステップＳ１００３に戻る。
【０２９４】
画像領域Ｄに対する記録動作としては、ステップＳ１００３において、画像領域Ｄに対応する記録データを読み込む。ステップＳ１００４において、図７の７走査目で、往路の主走査方向へ記録ヘッド４０２を移動しながら、画像領域Ｄの記録を行う。次に、ステップＳ１００５において、時間Ｔの値を上書きし、７走査目の記録が終了してからの時間Ｔの計測を再度開始する。
【０２９５】
ステップＳ１００６において、休止時間として反ホームポジションで所定時間Ｔ２＝７秒間記録を休止する。ステップＳ１００７において、休止後に、図７の８走査目で復路の主走査方向へ記録ヘッド４０２を移動する。ステップＳ１００８において、紙送りローラ４０３と排紙ローラ４０４によって、記録媒体Ｐを副走査方向へ所定量（この場合、２５６／１２００インチ）搬送する。
【０２９６】
ここまでに、時間Ｔは、７走査目の往路と８走査目の復路の主走査方向間の休止時間のＴ２＝７秒と、８走査目の復路の主走査にかかる０．２秒を合計した７．２秒が計測されている。
【０２９７】
また、この時点で画像領域Ｂが完成した時点からの時間Ｔｂは、
３走査目の往路と４走査目の復路の主走査方向間の休止時間のＴ２＝７秒と、
５走査目の往路と６走査目の復路の主走査方向間の休止時間のＴ２＝７秒と、
７走査目の往路と８走査目の復路の主走査方向間の休止時間のＴ２＝７秒と、
４走査目の復路の主走査にかかる０．２秒と、
５走査目の往路の主走査にかかる０．２秒と、
６走査目の復路の主走査にかかる０．２秒と、
７走査目の往路の主走査にかかる０．２秒と、
８走査目の復路の主走査にかかる０．２秒を合計した２２秒が計測されている。
【０２９８】
また、この時点で画像領域Ｃが完成した時点からの時間Ｔｃは、
５走査目の往路と６走査目の復路の主走査方向間の休止時間のＴ２＝７秒と、
７走査目の往路と８走査目の復路の主走査方向間の休止時間のＴ２＝７秒と、
６走査目の復路の主走査にかかる０．２秒と、
７走査目の往路の主走査にかかる０．２秒と、
８走査目の復路の主走査にかかる０．２秒を合計した１４．６秒となる。
【０２９９】
また、この時点で画像領域Ａが完成した時点からの時間Ｔａは、
１走査目の往路と２走査目の復路の主走査方向間の休止時間のＴ２＝７秒と、
３走査目の往路と４走査目の復路の主走査方向間の休止時間のＴ２＝７秒と、
５走査目の往路と６走査目の復路の主走査方向間の休止時間のＴ２＝７秒と、
７走査目の往路と８走査目の復路の主走査方向間の休止時間のＴ２＝７秒と、
２走査目の復路の主走査にかかる０．２秒と、
３走査目の往路の主走査にかかる０．２秒と、
４走査目の復路の主走査にかかる０．２秒と、
５走査目の往路の主走査にかかる０．２秒と、
６走査目の復路の主走査にかかる０．２秒と、
７走査目の往路の主走査にかかる０．２秒と、
８走査目の復路の主走査にかかる０．２秒と
を合計した２９．４秒となり、画像領域Ａの記録が完成後、２９．４秒間経過してから排紙ローラ４０４を通過する。
【０３００】
次に、ステップＳ１００９の判定では、図１５で示す画像領域Ｄより排紙側には、記録対象となる画像領域がないため、ページ内に記録対象の記録データがないと判定し、ステップＳ１０１０に進む。
【０３０１】
ステップＳ１０１０において、画像領域Ｄが完成した時点からの時間Ｔが所定時間Ｔ１（この場合、７．６秒）以上であるか否かを判定する。
【０３０２】
この場合、画像領域Ｄが完成した時点からの時間Ｔは７．２秒であるため、所定時間Ｔ１（＝７．６秒）未満となり、ステップＳ１０１１に進む。
【０３０３】
ステップＳ１０１１において、図７の９走査目で、往路の主走査方向へ記録ヘッド４０２を移動する。ステップＳ１０１２において、休止時間として反ホームポジションでＴ２＝７秒間記録を休止する。ステップＳ１０１３において、休止後に、図７の１０走査目で、復路の主走査方向記録ヘッド４０２を移動する。
【０３０４】
ステップＳ１０１４において、ホームポジションｈ側に戻ると、紙送りローラ４０３と排紙ローラ４０４によって、記録媒体Ｐを副走査方向へ所定量（この場合、２５６／１２００インチ）搬送する。
【０３０５】
再度、ステップＳ１０１０において、画像領域Ｄが完成した時点からの時間Ｔが所定時間Ｔ１（＝７．６秒）以上であるか否かを判定する。
【０３０６】
このとき、時間Ｔは、
７走査目の往路と８走査目の復路の主走査方向間の休止時間のＴ２＝７秒と、
９走査目の往路と１０走査目の復路の主走査方向間の休止時間のＴ２＝７秒と、
８走査目の復路の主走査にかかる０．２秒と
９走査目の往路の主走査にかかる０．２秒と
１０走査目の復路の主走査にかかる０．２秒を合計した１４．６秒となる。
【０３０７】
また、この時点で画像領域Ｂが完成した時点からの時間Ｔｂは、
３走査目の往路と４走査目の復路の主走査方向間の休止時間のＴ２＝７秒と、
５走査目の往路と６走査目の復路の主走査方向間の休止時間のＴ２＝７秒と、
７走査目の往路と８走査目の復路の主走査方向間の休止時間のＴ２＝７秒と、
９走査目の往路と１０走査目の復路の主走査方向間の休止時間のＴ２＝７秒と、
４走査目の復路の主走査にかかる０．２秒と、
５走査目の往路の主走査にかかる０．２秒と、
６走査目の復路の主走査にかかる０．２秒と、
７走査目の往路の主走査にかかる０．２秒と、
８走査目の復路の主走査にかかる０．２秒と、
９走査目の往路の主走査にかかる０．２秒と、
１０走査目の復路の主走査にかかる０．２秒と
を合計した２９．４秒となり、画像領域Ｂの記録が完成後、２９．４秒間経過してから排紙ローラ４０４を通過する。
【０３０８】
また、この時点で画像領域Ｃが完成した時点からの時間Ｔｃは、
５走査目の往路と６走査目の復路の主走査方向間の休止時間のＴ２＝７秒と、
７走査目の往路と８走査目の復路の主走査方向間の休止時間のＴ２＝７秒と、
９走査目の往路と１０走査目の復路の主走査方向間の休止時間のＴ２＝７秒と、
６走査目の復路の主走査にかかる０．２秒と、
７走査目の往路の主走査にかかる０．２秒と、
８走査目の復路の主走査にかかる０．２秒と、
９走査目の往路の主走査にかかる０．２秒と、
１０走査目の復路の主走査にかかる０．２秒を合計した２２秒となる。
【０３０９】
この場合、時間Ｔが１４．６秒となるため、所定時間Ｔ１（＝７．６秒）以上となり、ステップＳ１０１５に進み、記録媒体Ｐを排紙する。
【０３１０】
以上説明したように、実施形態３によれば、主走査方向が記録媒体Ｐの記録面に記録する全画像領域の中で最も主走査方向の記録幅が短い画像領域の主走査方向の幅Ｘ１は、図１５の場合、４インチとなる。
【０３１１】
一方、副走査方向が図１５の画像領域Ａ〜Ｄ（画像領域Ｗ１）の記録に使用するインク吐出口の内、排紙側に最も近いインク吐出口から記録ヘッド４０２よりも排紙側に記録媒体Ｐの記録面に接しながら記録媒体Ｐを搬送するローラ（補助ローラ４０４）までの幅である２５６／１２００インチ×３回＝７６８／１２００インチから、記録に使用するインク吐出口の幅２５６／１２００インチを差し引いた幅Ｙ１は、５１２／１２００インチとなる。
【０３１２】
そして、この幅Ｘ１と幅Ｙ１で囲まれる画像領域Ｗ２は、実施形態３の画像領域Ａと画像領域Ｂの２つを合わせた画像領域と同じ大きさになる。
【０３１３】
これより、実施形態３の画像領域Ａと画像領域Ｂの２つを合わせた画像領域を完成させるのに要する時間Ｔ１は、
１走査目の復路の主走査にかかる０．２秒と、
１走査目の往路と２走査目の復路の主走査方向間の休止時間のＴ２＝７秒と、
２走査目の復路の主走査にかかる０．２秒と、
３走査目の復路の主走査にかかる０．２秒を合計した７．６秒となる。
【０３１４】
実施形態３における記録媒体Ｐの記録面に記録する画像領域が完成してから排紙ローラ（補助ローラ４０４）と接触する時間が、画像領域Ａと画像領域Ｂが２９．４秒経過後、画像領域Ｃが２２秒経過後、画像領域Ｄが１４．６秒経過後となることから、画像領域Ａ〜Ｄの全ての画像領域が所定時間Ｔ１（＝７．６秒）以上経過後に排紙ローラ４０４と接触することで、図１７の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０３１５】
また、実施形態３における画像領域よりも給紙側の領域に記録データがない領域に対しては、画像領域Ｄの完成から（１／３）×Ｔ１≒２．６秒以上の１４．６秒経過するまで、記録ヘッド４０２を走査する主走査は、図７より、９主走査、１０主走査の２回の主走査を実施し、記録媒体Ｐを走査する副走査は、１０主走査目の後に１回の副走査を実施することで、画像領域よりも給紙側の領域に記録データがない領域に対しても、ユーザに対して記録動作が終了していないことを促すことができる。これは、記録データがない領域に達した後、直ちに記録動作を終了してしまうと、ユーザが記録動作が終了したと判断して、記録媒体上の記録画像が十分浸透及び定着していない内に、その記録媒体をインクジェット記録装置から引き抜いてしまうことで、記録画像が劣化したり、排紙ローラが汚れてしまうことを防止するためである。
【０３１６】
さらには、画像領域Ｄを完成させた７主走査目と８主走査目の主走査間、９主走査目と１０主走査目の主走査間に休止時間を設けることで、画像領域Ｄの完成から（１／３）×Ｔ１≒１４．６秒以上の１４．６秒を満足できる。また、画像領域Ａ〜Ｄを完成させる記録動作と同じ記録動作を実施することで、図１７の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０３１７】
さらには、記録媒体Ｐの副走査方向への搬送精度が良い排紙ローラ４０４を用いることで、記録媒体Ｐ上の記録画像の画質を向上することができる。
【０３１８】
このように、画像領域のドットカウントを行うことで、走査毎に各画像領域の記録を行ってから排紙ローラ４０４を通過するまでの時間を設定することができるので、実施形態１に比べて、記録時間を短縮することができる。
【０３１９】
尚、実施形態３では、同一記録媒体毎にドットカウントレベルの設定を行ったが、これに限定されるものではなく、各主走査毎にドットカウントレベルの設定を行っても良く、実施形態３と同様の効果を得ることができる。
【０３２０】
また、実施形態３では、ホストコンピュータ内のプリンタドライバでドットカウントを行ったが、これに限定されるものではなく、インクジェット記録装置本体でドットカウントを行っても良く、実施形態３と同様の効果を得ることができる。
【０３２１】
（実施形態４）
実施形態４では、記録動作の中止を実行した場合について説明を行う。
【０３２２】
実施形態４では、実施形態１と同じ記録ヘッド４０２を用いて、図６で示す画像を記録する場合を例に挙げて説明する。
【０３２３】
実施形態４の記録動作は、実施形態１と同様の記録動作で、各画像領域を往路の主走査方向で完成させ、往路と復路の主走査の間に休止時間を設ける片方向記録を行う。
【０３２４】
以下、実施形態４の記録動作について、図２４を用いて説明する。
【０３２５】
図２４は本発明の実施形態４のインクジェット記録装置の記録動作を示すフローチャートである。
【０３２６】
尚、図２４の処理は、実施形態１の図１０のステップＳ１００３〜ステップＳ１００９による記録のステップＳ１００５の後に、記録動作の中止を実行した場合を示している。ここで、記録動作の中止は、ホストコンピュータから記録動作の中止の指示を受信した場合や、インクジェット記録装置で障害（インク切れ、用紙切れ、用紙づまり等）は発生した場合に実行される。
【０３２７】
ステップＳ２００１において、図７の１走査目で、往路の主走査方向へ記録ヘッド３０２を移動しながら、画像領域Ａの記録を行う。ステップＳ２００２において、記録が終了してからの時間Ｔの計測を開始する。
【０３２８】
ステップＳ２００３において、記録動作を中止する。ステップＳ２００４において、時間Ｔが所定時間Ｔ１（＝１０．６秒）以上であるか否かを判定する。
【０３２９】
これまでに、時間Ｔは、１走査目の往路と２走査目の復路の主走査方向間の休止時間のＴ２＝１０秒と、２走査目の復路の主走査にかかる０．２秒を合計した１０．２秒が計測されており、所定時間Ｔ＝１０．６秒未満であるため、ステップＳ２００５に進む。
【０３３０】
ステップＳ２００５において、２走査目で、復路の主走査方向へ記録ヘッド４０２を移動する。ステップＳ２００６において、休止時間として、ホームポジションｈで所定時間Ｔ２＝１０秒間記録を休止する。
【０３３１】
ステップＳ２００７において、休止後に、３走査目で往路の主走査方向に記録ヘッド４０２を移動する。ステップＳ２００８において、反ホームポジション側で、紙送りローラ４０３と排紙ローラ４０４によって、記録媒体Ｐを副走査方向へ所定量（この場合、２５６／１２００インチ）搬送する。
【０３３２】
次に、再度、ステップＳ２００４において、時間Ｔが所定時間Ｔ１（＝１０．６秒）以上であるか否かを判定する。
【０３３３】
ここまでに、時間Ｔは、２走査目の復路の主走査にかかる０．２秒と、２走査目の復路と３走査目の往路の主走査間の休止時間のＴ２＝１０秒と、３走査目の往路の主走査にかかる０．２秒をさらに合計した１０．４秒が計測されており、所定時間Ｔ１＝１０．６秒未満であるため、同様に、スッテップ２００５からステップＳ２００８を行う。
【０３３４】
さらに、再度、ステップＳ２００４において、時間Ｔが所定時間Ｔ１（＝１０．６秒）以上であるか否かを判定する。
【０３３５】
ここまでに、時間Ｔは、４走査目の復路の主走査にかかる０．２秒と、４走査目の復路と５走査目の往路の主走査間の休止時間のＴ２＝１０秒と、５走査目の往路の主走査にかかる０．２秒をさらに合計した２０．８秒が計測されており、所定時間Ｔ１＝１０．６秒以上であるため、ステップＳ２００９に進み、記録媒体Ｐを排紙する。
【０３３６】
以上説明したように、実施形態４によれば、画像領域Ａの記録が完成してから２０．８秒となり、所定時間Ｔ１＝１０．６秒間経過してから排紙ローラ４０４を通過する。そのため、実施形態１の図９の表から理解されるように、記録媒体Ｐが排紙ローラ４０４を通過して、排紙ローラ４０４にインクが付着し、さらに排紙ローラ４０４から記録媒体Ｐへインクが転写することを防止できる。
【０３３７】
また、記録動作の中止を実行した場合においても、実施形態１と同様に、幅Ｘ１と幅Ｙ１で囲まれる画像領域が、画像領域Ａと画像領域Ｂの２つを合わせた画像領域と同じ大きさになり、この画像領域を完成させるのに要する時間Ｔ１は、１０．６秒となる。
【０３３８】
実施形態４における記録媒体Ｐの記録面に記録する画像領域Ａが完成してから排紙ローラ４０４と接触する時間が、２０．８秒経過後となることから、画像領域Ａが所定時間Ｔ１＝１０．６秒以上経過後に排紙ローラ４０４と接触することで、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０３３９】
また、実施形態４における画像領域よりも給紙側の領域に記録データがない領域に対しては、同一記録媒体に記録される画像データが全て記録し終える前に記録動作を中止した場合に発生するが、画像領域Ａの完成から（１／３）×Ｔ１≒３．５秒以上の２０．８秒経過するまで、記録ヘッド４０２を走査する主走査は、図７より、２主走査、３主走査、４主走査、５主走査目の４回の主走査を実施し、記録媒体Ｐを走査する副走査は、３主走査目と４主走査目、４主走査目と５主走査目の間で２回の副走査を実施することで、画像領域よりも給紙側の領域に記録データがない領域に対しても、ユーザに対して記録動作が終了していないことを促すことができる。これは、記録データがない領域に達した後、直ちに記録動作を終了してしまうと、ユーザが記録動作が終了したと判断して、記録媒体上の記録画像が十分浸透及び定着していない内に、その記録媒体をインクジェット記録装置から引き抜いてしまうことで、記録画像が劣化したり、排紙ローラが汚れてしまうことを防止するためである。
【０３４０】
さらには、記録動作を中止した後の２主走査目と３主走査目の主走査間、４主走査目と５主走査目の主走査間に休止時間を設けることで画像領域Ｄの完成から（１／３）×Ｔ１≒３．５秒以上の２０．８秒を満足できる。このように、記録動作を中止した場合においても、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０３４１】
さらには、記録媒体Ｐの副走査方向への搬送精度が良い排紙ローラ４０４を用いることで、記録媒体Ｐ上の記録画像の画質を向上することができる。
【０３４２】
尚、実施形態１では、記録媒体Ｐの記録面に記録する画像領域の記録デューティーが全て１００％である場合を例に挙げて説明したが、これに限定されるものではなく、画像領域が１００％以下であっても、同様の記録動作を実施することで同様の効果を得ることができる。
【０３４３】
（実施形態５）
実施形態５では、同一の記録媒体に記録される画像データの途中に画像データがない場合について説明を行う。
【０３４４】
実施形態５では、実施形態１と同じ記録ヘッド４０２を用いて、図２５で示す画像を記録する場合を例に挙げて説明する。
【０３４５】
実施形態５での記録動作は、実施形態１と同様の記録動作で、各画像領域を往路の主走査方向で完成させ、往路と復路の主走査の間に休止時間を設ける片方向記録を行う。
【０３４６】
まず、実施形態５の記録画像の一例について、図２５を用いて説明する。
【０３４７】
図２５は本発明の実施形態５の記録画像を示す図である。
【０３４８】
図２５では、例えば、記録媒体Ｐとして、そのサイズが４×６インチの光沢紙の例を示している。また、この記録媒体Ｐに記録する記録画像としては、各画像領域Ａ、Ｆは、記録デューティーが１００％の縦２５６／１２００インチ、横４インチのサイズの画像であり、各画像領域Ｂ〜Ｅには画像データ（ｎｕｌｌデータ）がない。
【０３４９】
次に、実施形態５のインクジェット記録装置の記録動作について、図２６を用いて説明する。
【０３５０】
図２６は本発明の実施形態５のインクジェット記録装置の記録動作を示すフローチャートである。
【０３５１】
尚、図２６では、図２５で示す画像領域Ａ〜Ｆを記録する場合を例に挙げて説明する。
【０３５２】
まず、ステップＳ２４０１において、記録媒体Ｐの給紙を行う。ステップＳ２４０２において、記録媒体Ｐの１ページ内に記録対象の記録データの有無を判定する。記録データがない場合（ステップＳ２４０２でＮＯ）、ステップＳ２４１８に進む。一方、記録データがある場合（ステップＳ２４０２でＹＥＳ）、ステップＳ２４０３に進む。
【０３５３】
この場合、図２５で示す画像領域Ａと画像領域Ｆに対応する記録データがあるため、ページ内に記録対象の記録データがあると判定し、ステップＳ２４０３に進む。
【０３５４】
ステップＳ２４０３において、主走査方向に記録する記録データを読み込む。この場合、画像領域Ａに対応する記録データを読み込む。ステップＳ２４０４において、処理対象の画像データの有無を判定する。処理対象の画像データがない場合（ステップＳ２４０４でＮＯ）、ステップＳ２４１１に進む。一方、処理対象の画像データがある場合（ステップＳ２４０２でＹＥＳ）、ステップＳ２４０５に進む。
【０３５５】
この場合、画像領域Ａに対応する記録データがあるため、処理対象の画像データがあると判定し、ステップＳ２４０５に進む。
【０３５６】
ステップＳ２４０５において、往路の主走査方向へ記録ヘッド４０２を移動しながら記録を行う。図２５の場合、１走査目で、往路の主走査方向へ記録ヘッド４０２を移動しながら、画像領域Ａの記録を行う。
【０３５７】
ステップＳ２４０６において、記録が終了してからの時間Ｔの計測を開始する。ステップＳ２４０７において、休止時間として、反ホームポジションで所定時間Ｔ２（この場合、１０秒間）記録を休止する。
【０３５８】
ステップＳ２４０８において、休止後に、復路の主走査方向へ記録ヘッド４０２を移動する。ステップＳ２４０９において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【０３５９】
ここまでに、時間Ｔは、１走査目の往路と２走査目の復路の主走査方向間の休止時間のＴ２＝１０秒と、２走査目の復路の主走査にかかる０．２秒を合計した１０．２秒が計測されている。
【０３６０】
次に、ステップＳ２４１０において、次の主走査で記録対象の記録データの有無を判定する。記録データがない場合（ステップＳ２４１０でＮＯ）、ステップＳ２４１１に進む。一方、記録データがある場合（ステップＳ２４１０でＹＥＳ）、ステップＳ２４０３に戻る。
【０３６１】
この場合、図２５で示す画像領域Ａより排紙側の画像領域Ｂは画像データがないため、次の主走査で記録対象の記録データがないと判定し、ステップＳ２４１１に進む。
【０３６２】
ステップＳ２４１１において、時間Ｔが所定時間Ｔ１（この場合、１０．６秒）以上であるか否かを判定する。所定時間Ｔ１以上である場合（ステップＳ２４１１でＹＥＳ）、ステップＳ２４１７に進む。一方、所定時間Ｔ１未満である場合（ステップＳ２４１１でＮＯ）、ステップＳ２４１２に進む。
【０３６３】
この場合、画像領域Ａが完成した時点からの時間Ｔは１０．２秒であるため、所定時間Ｔ１（＝１０．６秒）未満となり、ステップＳ２４１２に進む。
【０３６４】
ステップＳ２４１２において、往路の主走査方向へ記録ヘッド４０２を移動する。図２５の場合、３走査目で、往路の主走査方向へ記録ヘッド４０２を移動する。
【０３６５】
ステップＳ２４１３において、休止時間として、反ホームポジションで所定時間Ｔ２（＝１０秒間）記録を休止する。ステップＳ２４１４において、休止後に、復路の主走査方向へ記録ヘッド４０２を移動する。図２５の場合、４走査目で、復路の主走査方向へ記録ヘッド４０２を移動する。
【０３６６】
ステップＳ２４１５において、ホームポジションｈ側に戻ると、紙送りローラ４０３と排紙ローラ４０４によって、記録媒体Ｐを副走査方向へ所定量（この場合、２５６／１２００インチ）搬送する。
【０３６７】
ステップＳ２４０３において、主走査方向に記録する記録データを読み込む。この場合、画像領域Ｂに対応する記録データを読み込む。ステップＳ２４０４において、処理対象の画像データの有無を判定する。
【０３６８】
この場合、画像領域Ｂに対応する記録データがないため、処理対象の画像データがないと判定し、ステップＳ２４１１に進む。
【０３６９】
ここまでに、時間Ｔは、
２走査目の復路の主走査にかかる０．２秒と、
１走査目の往路と２走査目の復路の主走査方向間の休止時間のＴ２=１０秒と、
３走査目の往路の主走査にかかる０．２秒と、
３走査目の往路と４走査目の復路の主走査方向間の休止時間のＴ２＝１０秒と、
４走査目の復路の主走査にかかる０．２秒を合計した２０．６秒が計測されている。
【０３７０】
そして、ステップＳ２４１１の判定では、時間Ｔは２０．６秒であるため、所定時間Ｔ１（＝１０．６秒）以上となり、ステップＳ２４１７に進む。
【０３７１】
ステップＳ２４１７において、記録媒体Ｐの１ページ内に記録対象の記録データの有無を判定する。記録データがない場合（ステップＳ２４１７でＮＯ）、ステップＳ２４１８に進む。一方、記録データがある場合（ステップＳ２４１７でＹＥＳ）、ステップＳ２４１６に進む。
【０３７２】
この場合、図２５で示す画像領域Ｆに対応する記録データがあるため、ページ内に記録対象の記録データがあると判定し、ステップＳ２４１６に進む。
【０３７３】
ステップＳ２４１６において、画像領域Ｃ〜Ｅにかけて、紙送りローラ４０３と排紙ローラ４０４によって、記録媒体Ｐを副走査方向へ、各画像領域分×所定量（この場合、２５６／１２００インチ）搬送する。
【０３７４】
ステップＳ２４０３において、主走査方向に記録する記録データを読み込む。この場合、画像領域Ｆに対応する記録データを読み込む。ステップＳ２４０４において、処理対象の画像データの有無を判定する。
【０３７５】
この場合、画像領域Ｆに対応する記録データがあるため、処理対象の画像データがあると判定し、ステップＳ２４０５に進む。
【０３７６】
ステップＳ２４０５において、往路の主走査方向へ記録ヘッド４０２を移動しながら記録を行う。図２５の場合、５走査目で、往路の主走査方向へ記録ヘッド４０２を移動しながら、画像領域Ｆの記録を行う。
【０３７７】
ステップＳ２４０６において、記録が終了してからの時間Ｔの計測を開始する。この場合、時間Ｔを上書きし、５走査目の記録が終了してからの時間Ｔの計測を開始する。ステップＳ２４０７において、休止時間として、反ホームポジションで所定時間Ｔ２（＝１０秒間）記録を休止する。
【０３７８】
ステップＳ２４０８において、休止後に、復路の主走査方向へ記録ヘッド４０２を移動する。この場合、６走査目で、復路の主走査方向へ記録ヘッド４０２を移動する。
【０３７９】
ステップＳ２４０９において、記録ヘッド４０２がホームポジションｈ側に戻ると、紙送りローラ４０３と排紙ローラ４０４によって、記録媒体Ｐを副走査方向へ所定量（この場合、２５６／１２００インチ）搬送する。
【０３８０】
次に、ステップＳ２４１０において、次の主走査で記録対象の記録データの有無を判定する。
【０３８１】
この場合、図２５で示す画像領域Ｆより排紙側に画像領域がなり、つまり、画像データがないため、次の主走査で記録対象の記録データがないと判定し、ステップＳ２４１１に進む。
【０３８２】
ここまでに、時間Ｔは、５走査目の往路と６走査目の復路の主走査方向間の休止時間の１０秒と、６走査目の復路の主走査にかかる０．２秒を合計した１０．２秒が計測されている。
【０３８３】
ステップＳ２４１１において、時間Ｔが所定時間Ｔ１（この場合、１０．６秒）以上であるか否かを判定する。
【０３８４】
この場合、時間Ｔは１０．２秒であるため、所定時間Ｔ１（＝１０．６秒）未満となり、ステップＳ２４１２に進む。
【０３８５】
ステップＳ２４１２において、往路の主走査方向へ記録ヘッド４０２を移動する。この場合、７走査目で、往路の主走査方向へ記録ヘッド４０２を移動する。
【０３８６】
ステップＳ２４１３において、休止時間として、反ホームポジションで所定時間Ｔ２（＝１０秒間）記録を休止する。ステップＳ２４１４において、休止後に、復路の主走査方向へ記録ヘッド４０２を移動する。この場合、８走査目で、復路の主走査方向へ記録ヘッド４０２を移動する。
【０３８７】
ステップＳ２４１５において、ホームポジションｈ側に戻ると、紙送りローラ４０３と排紙ローラ４０４によって、記録媒体Ｐを副走査方向へ所定量（この場合、２５６／１２００インチ）搬送する。
【０３８８】
ステップＳ２４０３において、主走査方向に記録する記録データを読み込む。ステップＳ２４０２において、処理対象の画像データの有無を判定する。
【０３８９】
この場合、画像領域Ｆより排紙側には画像領域がないため、処理対象の画像データがないと判定し、ステップＳ２４１１に進む。
【０３９０】
ここまでに、時間Ｔは、
５走査目の往路と６走査目の復路の主走査方向間の休止時間の１０秒と、
６走査目の復路の主走査にかかる０．２秒と、
７走査目の往路の主走査にかかる０．２秒と、
７走査目の往路と８走査目の復路の主走査方向間の休止時間の１０秒と、
８走査目の復路の主走査にかかる０．２秒を合計した２０．６秒が計測されている。
【０３９１】
そして、ステップＳ２４１１の判定では、時間Ｔは２０．６秒であるため、所定時間Ｔ１（＝１０．６秒）以上となり、ステップＳ２４１７に進み、記録媒体Ｐを排紙する。
【０３９２】
以上説明したように、実施形態５によれば、同一記録媒体に記録される画像データの途中に、記録に用いる画像データ（ｎｕｌｌデータ）がない場合においても、実施形態１と同様に、幅Ｘ１と幅Ｙ１で囲まれる画像領域Ｗ２が、画像領域Ａと画像領域Ｂの２つを合わせた画像領域と同じ大きさになり、この画像領域を完成させるのに要する時間Ｔ１は、１０．６秒となる。
【０３９３】
実施形態５における記録媒体Ｐの記録面に記録する画像領域Ａが完成してから排紙ローラ４０４と接触する時間が、２０．６秒経過後となることから、画像領域Ａが所定時間Ｔ１＝１０．６秒以上経過後に排紙ローラ４０４と接触することで、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０３９４】
また、実施形態５における画像領域よりも給紙側の領域に記録データがない領域は、実施形態５のように、同一記録媒体に記録される画像データの途中に、記録に用いる画像データ（ｎｕｌｌデータ）がない場合に発生するが、画像領域Ａの完成から（１／３）×Ｔ１≒３．５秒以上の２０．６秒経過するまで、記録ヘッド４０２を走査する主走査は、２走査目、３走査目、４走査目の４回の主走査を実施し、記録媒体Ｐを走査する副走査は、１主走査目と２主走査目、３主走査目と４主走査目の間で２回の副走査を実施することで、画像領域よりも給紙側の領域に記録データがない領域に対しても、ユーザに対して記録動作が終了していないことを促すことができる。これは、記録データがない領域に達した後、直ちに記録動作を終了してしまうと、ユーザが記録動作が終了したと判断して、記録媒体上の記録画像が十分浸透及び定着していない内に、その記録媒体をインクジェット記録装置から引き抜いてしまうことで、記録画像が劣化したり、排紙ローラが汚れてしまうことを防止するためである。
【０３９５】
さらには、図２５の画像領域Ａを完成させた１主走査目と２主走査目の主走査間、３主走査目と４主走査目の主走査間に休止時間を設けることで、画像領域Ａの完成から（１／３）×Ｔ１≒３．５秒以上の２０．６秒を満足でき、画像領域よりも給紙側の領域に記録データがない場合においても、図９の表から理解されるように、記録媒体Ｐへのインクの定着が悪い場合でも記録媒体Ｐの記録面が排紙ローラ４０４に擦れ、記録画像と排紙ローラ４０４が汚れるのを防止することができる。
【０３９６】
さらには、記録媒体Ｐの副走査方向への搬送精度が良い排紙ローラ４０４を用いることで、記録媒体Ｐ上の記録画像の画質を向上することができる。
【０３９７】
また、画像領域よりも給紙側の領域に記録データがない場合、画像領域の記録を行ってから排紙ローラ４０４を通過するまでの時間Ｔ１以上の時間を経過した後は、次に記録を行う画像領域の直前まで記録媒体を副走査方向へ搬送することで、実施形態１と比べて余分な記録時間を短縮することができる。
【０３９８】
尚、実施形態１では、記録媒体Ｐの記録面に記録する画像領域の記録デューティーが全て１００％である場合を例に挙げて説明したが、これに限定されるものではなく、画像領域が１００％以下であっても、同様の記録動作を実施することで同様の効果を得ることができる。
【０３９９】
（実施形態６）
実施形態１〜５では、図２に示すような、インク吐出口列が一列で構成された記録ヘッド４０２を１つ備え、記録ヘッド４０２はブラックのインクを吐出する場合について説明したが、これに限定されるものではなく、インク吐出口列が複数列で構成された記録ヘッドの使用に関しても、各領域の記録が完成してから排紙ローラ４０４を通過するまでの時間を一定以上とすることで、実施形態１〜５と同様の効果を得ることができる。
【０４００】
また、実施形態１から実施形態５では、約４ｐｌのインク滴を用いて説明したが、これに限定されるものではなく、約４ｐｌよりも大きなインク滴でも、小さなインク滴でも良く、さらに色ごと、ノズル列ごとにインク滴の大きさを異ならせても良く、実施形態１〜５と同様の効果を得ることができる。
【０４０１】
また、時間Ｔ１を経過するために、実施形態１、４及び５については、記録動作と同じ主走査と記録媒体Ｐを走査する副走査の両方を走査する場合について説明し、実施形態２については、記録動作と異なる副走査のみを繰り返した場合について説明したが、これに限定されるものではなく、記録動作と同じ主走査のみを繰り返しても良く、また、記録動作と同じ副走査のみを繰り返しても良く、また、記録動作と異なる主走査のみを繰り返しても良く、実施形態１〜５と同様の効果を得ることができる。
【０４０２】
また、上記各実施形態では各画像領域の記録が完成してから排紙ローラ４０４を通過するまでの時間を一律としたが、これに限定されるものではなく、記録媒体の種類、記録媒体の大きさ、記録ヘッド４０２から吐出されるインク吐出量、１画素当たりのデータ量、記録対象の画像領域、排紙側に最も近いインク吐出口から排紙ローラ４０４までの距離、記録モードの少なくとも１つ、あるいはそれらの任意の組み合わせに応じて各画像領域の記録が完成してから排紙ローラ４０４を通過するまでの時間を異ならせても良く、実施形態１〜５と同様の効果を得ることができる。
【０４０３】
また、実施形態１〜５では、画像領域Ｗ１の記録に使用するインク吐出口の内、排紙側に最も近いインク吐出口から排紙ローラ４０４までの幅から、記録に使用するインク吐出口の幅を差し引いた幅Ｙ１を、５１２／１２００インチとして説明したが、これに限定されるものではなく、５１２／１２００インチよりも長くても、短くても良く、実施形態１〜５と同様の効果を得ることができる。
【０４０４】
また、上記各実施形態では各画像領域の記録が完成してから、排紙ローラ４０４を通過するまでの所定時間Ｔ１を一律とした場合について説明したが、これに限定されるものではなく、スループットアップのために、図２７のように、記録媒体Ｐの記録面に記録する全画像領域を記録し終えてから排紙ローラ４０４を通過するまでの時間Ｔ３（Ｔ３≧（１／３）×Ｔ１）を、図９の表から排紙ローラ４０４は汚れているが、排紙ローラ４０４から記録媒体Ｐの記録面へ汚れが転写していない「△」の７．６秒に設定し、時間Ｔ１と異ならせてもよく、実施形態１〜５と同様の効果を得ることができる。
【０４０５】
また、上記各実施形態では、図４に示すような、１本のローラからなる排紙ローラ４０４を用いて説明したが、これに限定されるものではなく、例えば、図２８に示す排紙ローラ２７０４のように、所定幅に分割された所定数（この場合、４）のローラで構成しても良く、実施形態１〜５と同様の効果を得ることができる。
【０４０６】
また、上記各実施形態では、図４に示すような、１本のローラからなる排紙ローラ４０４を用いて説明したが、これに限定されるものではなく、例えば、図２８に示す構成に加えて、記録媒体Ｐの搬送精度向上のために、図２９に示す補助ローラ２８０４を構成した、副走査方向に２列で構成されるローラで構成しても良く、実施形態１〜５と同様の効果を得ることができる。
【０４０７】
以上説明したように、本発明によれば、各画像領域の記録を行ってから排紙ローラを通過するまでの時間を設定することで、インクが記録媒体に浸透し定着するための十分な時間が確保され、インクが記録媒体に定着しないうちに記録媒体Ｐが排紙ローラを通過して排紙ローラにインクが付着し、さらに排紙ローラから記録媒体Ｐへインクが転写することを防止することができる。さらには、記録媒体Ｐの副走査方向への搬送精度が良い排紙ローラを用いることで、記録媒体に記録される記録画像の画質を向上することができる。
【０４０８】
なお、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【０４０９】
以上の実施形態は、特にインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式を用いることにより記録の高密度化、高精細化が達成できる。
【０４１０】
さらに加えて、本発明に係る記録装置の形態としては、コンピュータ等の情報処理機器の画像出力端末として一体または別体に設けられるものの他、リーダ等と組み合わせた複写装置、さらには送受信機能を有するファクシミリ装置の形態を取るものであっても良い。
【０４１１】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０４１２】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０４１３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【図面の簡単な説明】
【０４１４】
【図１】一般的なインクジェット記録装置の概略説明図である。
【図２】本発明に適用可能な記録ヘッドにおけるノズル配列を模式的に示す図である。
【図３】本発明の各実施形態に係るインクジェット記録装置の制御構成を示すブロック図である。
【図４】本発明の実施形態に係るインクジェット記録装置の概略構成を示す図である。
【図５】本発明の実施形態１の１００％の記録デューティーを示す図である。
【図６】本発明の実施形態１の記録画像を示す図である。
【図７】本発明の実施形態１の記録動作を示す図である。
【図８】本発明の実施形態１の記録デューティーが１００％で、サイズが２５６／１２００インチ四方のパッチを示す図である。
【図９】本発明の実施形態１の排紙ローラを通過するまでの時間と排紙ローラ及び記録面の汚れ具合の評価を示す図である。
【図１０】本発明の実施形態１のインクジェット記録装置の記録動作を示すフローチャートである。
【図１１】本発明の実施形態２の記録画像を示す図である。
【図１２】本発明の実施形態２の記録動作を示す図である。
【図１３】本発明の実施形態２の記録モードに応じて設定された休止時間Ｔ２を示す図である。
【図１４】本発明の実施形態２のインクジェット記録装置の記録動作を説明するためのフローチャートである。
【図１５】本発明の実施形態３の記録画像を示す図である。
【図１６】本発明の実施形態３の記録デューティーが７５％で、サイズが２５６／１２００インチ四方のパッチを示す図である。
【図１７】本発明の実施形態３の排紙ローラを通過するまでの時間と排紙ローラ及び記録面の汚れ具合の評価を示す図である。
【図１８】本発明の実施形態３の記録デューティーが５０％で、サイズが２５６／１２００インチ四方のパッチを示す図である。
【図１９】本発明の実施形態３の排紙ローラを通過するまでの時間と排紙ローラ及び記録面の汚れ具合の評価を示す図である。
【図２０】本発明の実施形態３のドット数に応じたドットカウントレベルの区分けを示す図である。
【図２１】本発明の実施形態３のドットカウントレベルに応じた記録から排紙ローラを通過するまでの時間の関係を示す図である。
【図２２】本発明の実施形態３の記録ドット数をカウントするＷｉｎｄｏｗの移動位置を示す図である。
【図２３】本発明の実施形態３のインクジェット記録装置の記録動作を示すフローチャートである。
【図２４】本発明の実施形態４のインクジェット記録装置の記録動作を示すフローチャートである。
【図２５】本発明の実施形態５の記録画像を示す図である。
【図２６】本発明の実施形態５のインクジェット記録装置の記録動作を示すフローチャートである。
【図２７】本発明の実施形態６の記録モードに応じて設定された休止時間Ｔ１およびＴ３を示す図である。
【図２８】本発明の実施形態６の係るインクジェット記録装置の概略構成を示す図である。
【図２９】本発明の実施形態６の係るインクジェット記録装置の概略構成を示す図である。
【符号の説明】
【０４１５】
１０１  インクカートリッジ
１０２  記録ヘッド
１０３  紙送りローラ
１０４  拍車
１０５  給紙ローラ
１０６  キャリッジ
２０１  吐出口
３００  中央制御部（ＣＰＵ）
３０１  ＲＯＭ
３０２  ＲＡＭ
３０３  画像入力部
３０４  画像信号処理部
３０５  バスライン
３０６  操作部
３０７  回復系制御部
３０８  回復系モータ
３０９  クリーニングブレード
３１０  キャップ
３１１  吸引ポンプ
３１２  ダイオードセンサ
３１３  記録ヘッド
３１３ａ  保温ヒータ
３１４  ヘッド温度制御回路
３１５  ヘッド駆動制御回路
３１６  キャリッジ駆動制御回路
３１７  紙送り制御回路
４０１  インクカートリッジ
４０２  記録ヘッド
４０３  紙送りローラ
４０４、２７０４、２８０４  排紙ローラ
４０５  給紙ローラ
４０６  キャリッジ
【図１】
2006103057.tif 000003
【図２】
2006103057.tif 000004
【図３】
2006103057.tif 000005
【図４】
2006103057.tif 000006
【図５】
2006103057.tif 000007
【図６】
2006103057.tif 000008
【図７】
2006103057.tif 000009
【図８】
2006103057.tif 000010
【図９】
2006103057.tif 000011
【図１０】
2006103057.tif 000012
【図１１】
2006103057.tif 000013
【図１２】
2006103057.tif 000014
【図１３】
2006103057.tif 000015
【図１４】
2006103057.tif 000016
【図１５】
2006103057.tif 000017
【図１６】
2006103057.tif 000018
【図１７】
2006103057.tif 000019
【図１８】
2006103057.tif 000020
【図１９】
2006103057.tif 000021
【図２０】
2006103057.tif 000022
【図２１】
2006103057.tif 000023
【図２２】
2006103057.tif 000024
【図２３】
2006103057.tif 000025
【図２４】
2006103057.tif 000026
【図２５】
2006103057.tif 000027
【図２６】
2006103057.tif 000028
【図２７】
2006103057.tif 000029
【図２８】
2006103057.tif 000030
【図２９】
2006103057.tif 000031